(57)【特許請求の範囲】
【請求項１】
光記録媒体に対して、少なくともレーザ光を照射することにより情報の記録を行なう光記録方法において、
上記光記録媒体の隣接する２つのトラックに対して、それぞれ隣接しない領域に複数の記録条件でテストパターンを記録し、少なくとも一方のトラックを再生して得られた信号に基づいて、上記２つのトラックの最適記録条件を設定し、各トラックに、それぞれの最適記録条件により情報を記録することを特徴とする光記録方法。
【請求項２】
光記録媒体に対して、少なくともレーザ光を照射することにより情報の記録を行なう光記録方法において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件で記録し、
上記第２テストパターンの記録後に、上記第１トラックの、上記第２トラックの第２の領域に隣接する第４の領域に、第４テストパターンを複数の記録条件で記録し、
上記の総てのテストパターンを記録した後、
上記第１トラックを再生して、第１の領域から第１読出信号を検出するとともに、第４の領域から第４読出信号を検出し、上記第２トラックを再生して、第２の領域から第２読出信号を検出するとともに、第３の領域から第３読出信号を検出し、
上記第１読出信号および第４読出信号とに基づいて、第１トラックに対する最適記録条件を決定し、上記第２読出信号と第３読出信号とに基づいて、第２トラックに対する最適記録条件を決定し、各トラックに、それぞれの最適記録条件により情報を記録することを特徴とする光記録方法。
【請求項３】
上記第１読出信号が所定の値となる第１記録条件によって形成される記録マークよりも小さな記録マークを形成する記録条件を求め、この記録条件を上記第２トラックに対する最適記録条件とすることを特徴とする請求項２記載の光記録方法。
【請求項４】
上記第１読出信号が所定の値に到達しないときには、上記第３読出信号が所定の値となる第３記録条件によって形成される記録マークよりも大きな記録マークを形成する記録条件を求めて、この記録条件を上記第２トラックに対する最適記録条件とすることを特徴とする請求項３記載の光記録方法。
【請求項５】
上記第２読出信号が所定の値となる第２記録条件によって形成される記録マークよりも小さな記録マークを形成する記録条件を求め、この記録条件を上記第１トラックに対する最適記録条件とすることを特徴とする請求項２または３記載の光記録方法。
【請求項６】
上記第２読出信号が所定の値に到達しないときには、上記第４読出信号が所定の値となる第４記録条件によって形成される記録マークよりも大きな記録マークを形成する記録条件を求めて、この記録条件を上記第１トラックに対する最適記録条件とすることを特徴とする請求項５記載の光記録方法。
【請求項７】
光記録媒体に対して、少なくともレーザ光を照射することにより情報の記録を行なう光記録方法において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件でで記録し、
上記第２テストパターンの記録後に、上記第１トラックの、上記第２トラックの第２の領域に隣接する第４の領域に、第４テストパターンを複数の記録条件で記録し、
上記の総てのテストパターンを記録した後、上記第１トラックを再生し、第１の領域から第１読出信号を検出するとともに、第４の領域から第４読出信号を検出し、
上記第１読出信号が所定の値となる第１記録条件によって形成される記録マークよりも小さな記録マークとなる記録条件を求めて、この記録条件を第２トラックにおける最適記録条件とし、
上記第４読出信号が所定の値となる第４記録条件によって形成される記録マークよりも大きな記録マークとなる記録条件を求めて、この記録条件を第１トラックにおける最適記録条件とし、
上記光記録媒体の各トラックに、それぞれの最適記録条件により情報を記録することを特徴とする光記録方法。
【請求項８】
光記録媒体に対して、少なくともレーザ光を照射することにより情報の記録を行なう光記録方法において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件で記録し、
上記第２テストパターンの記録後に、上記第１トラックの、上記第２トラックの第２の領域に隣接する第４の領域に、第４テストパターンを複数の記録条件で記録し、
上記の総てのテストパターンを記録した後、上記第２トラックを再生し、第２の領域から第２読出信号を検出するとともに、第３の領域から第３読出信号を検出し、
上記第２読出信号が所定の値となる第２記録条件によって形成される記録マークよりも小さな記録マークとなる記録条件を求めて、この記録条件を第１トラックにおける最適記録条件とし、
上記第３読出信号が所定の値となる第３記録条件によって形成される記録マークよりも大きな記録マークとなる記録条件を求めて、この記録条件を第２トラックにおける最適記録条件とし、
上記光記録媒体の各トラックに、それぞれの最適記録条件により情報を記録することを特徴とする光記録方法。
【請求項９】
上記読出信号の検出量として、信号振幅を用いることを特徴とする請求項２ないし８の何れかに記載の光記録方法。
【請求項１０】
上記読出信号の検出量として、ジッタを用いることを特徴とする請求項２ないし８の何れかに記載の光記録方法。
【請求項１１】
上記読出信号の検出量として、エラーを用いることを特徴とする請求項２ないし８の何れかに記載の光記録方法。
【請求項１２】
光記録媒体に対して、少なくともレーザ光を照射することにより情報の記録を行なう光記録装置において、
上記光記録媒体の隣接する２つのトラックに対して、それぞれ隣接しない領域に複数の記録条件でテストパターンを記録する記録手段と、
上記記録手段によって記録されたテストパターンを含む各トラックを再生する再生手段と、
上記２つのトラックの再生信号の、少なくとも一方の再生信号に基づいて、上記２つのトラックの最適記録条件を設定する最適記録条件設定手段とを備えていることを特徴とする光記録装置。
【請求項１３】
光記録媒体に対して、最適記録条件によって、少なくともレーザ光を照射することにより情報を記録する光記録装置において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件で記録し、
上記第２テストパターンの記録後に、上記第１トラックの、上記第２トラックの第２の領域に隣接する第４の領域に、第４テストパターンを複数の記録条件で記録する記録手段と、
上記の総てのテストパターンを記録した後、上記第１トラックを再生し、第１の領域から第１読出信号を検出するとともに、第４の領域から第４読出信号を検出し、上記第２トラックを再生し、第２の領域から第２読出信号を検出するとともに、第３の領域から第３読出信号を検出する信号検出手段と、
上記第１読出信号および第４読出信号とに基づいて、第１トラックに対する最適記録条件を決定し、上記第２読出信号と第３読出信号とに基づいて、第２トラックに対する最適記録条件を決定する最適記録条件設定手段とを備えていることを特徴とする光記録装置。
【請求項１４】
光記録媒体に対して、最適記録条件によって、少なくともレーザ光を照射することにより情報を記録する光記録装置において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件で記録し、
上記第２テストパターンの記録後に、上記第１トラックの、上記第２トラックの第２の領域に隣接する第４の領域に、第４テストパターンを複数の記録条件で記録する記録手段と、
上記の総てのテストパターンを記録した後、上記第１トラックを再生し、第１の領域から第１読出信号を検出するとともに、第４の領域から第４読出信号を検出する信号検出手段と、
上記第１読出信号が所定の値となる第１記録条件によって形成される記録マークよりも小さな記録マークとなる記録条件を求めて、この記録条件を第２トラックにおける最適記録条件を決定し、
上記第４読出信号が所定の値となる第４記録条件によって形成される記録マークよりも大きな記録マークとなる記録条件を求めて、この記録条件を第１トラックにおける最適記録条件を決定する最適記録条件設定手段とを備えていることを特徴とする光記録装置。
【請求項１５】
光記録媒体に対して、最適記録条件によって、少なくともレーザ光を照射することにより情報を記録する光記録装置において、
上記光記録媒体の第１トラックの第１の領域に、該第１トラックのトラック幅よりも大きな幅の記録マークからなる第１テストパターンを記録し、
上記第１トラックに隣接する第２トラックの、該第１トラックの第１の領域に隣接する領域以外の第２の領域に、該第２トラックのトラック幅よりも大きな幅の記録マークからなる第２テストパターンを記録し、
上記第１テストパターンの記録後に、上記第２トラックの、上記第１トラックの第１の領域に隣接する第３の領域に、第３テストパターンを複数の記録条件で記録し、
上記第２テストパターンの記録後に、上記第１トラックの、上記第２トラックの第２の領域に隣接する第４の領域に、第４テストパターンを複数の記録条件で記録する記録手段と、
上記の総てのテストパターンを記録した後、上記第２トラックを再生し、第２の領域から第２読出信号を検出するとともに、第３の領域から第３読出信号を検出する信号検出手段と、
上記第２読出信号が所定の値となる第２記録条件によって形成される記録マークよりも小さな記録マークとなる記録条件を求めて、この記録条件を第１トラックにおける最適記録条件を決定し、
上記第３読出信号が所定の値となる第３記録条件によって形成される記録マークよりも大きな記録マークとなる記録条件を求めて、この記録条件を第２トラックにおける最適記録条件を決定する最適記録条件設定手段とを備えていることを特徴とする光記録装置。
【請求項１６】
上記第１トラックは、ランドかグルーブのどちらか一方に形成されたトラックであり、上記第２トラックは、その他方に形成されたトラックであることを特徴とする請求項１２ないし１５の何れかに記載の光記録装置。
【発明の詳細な説明】
【０００１】
【発明の属する技術分野】
本発明は、光記録媒体に対して情報を記録する光記録方法及び光記録装置に関し、特に記録条件を安定に最適化することのできる光記録方法及び光記録装置に関する。
【０００２】
【従来の技術】
近年、光記録媒体の高密度化の研究がますます盛んである。しかしながら、光記録媒体として、例えば光ディスクの場合には、該光ディスクに照射する光ビームの記録光量、また、光磁気ディスクの場合には、該光磁気ディスクに印加する外部印加磁界の記録磁界強度などの記録条件が変化すると、記録マークの幅（トラックと直角な方向）が変動して一様な記録ができないため、高密度記録が困難であるという問題点が生じている。
【０００３】
そこで、上記のような問題点を解消する技術が、特開平１１−７３７００号公報（文献１）や特開平１０−６９６３９号公報（文献２）に開示されている。
【０００４】
上記文献１には、記録光量および記録磁界強度の制御方法が開示されている。この方法では、光記録媒体の特定トラックに第１のテストパターンを記録した後、隣接するトラックに、第１のテストパターンを記録したときと同一の記録光量または記録磁界強度で第２のテストパターンを記録し、特定トラックを再生するようになっている。
【０００５】
上記方法によれば、再生時の振幅レベルは、再生時におけるクロストークや、隣接するトラックからのクロスイレーズの影響を加味した振幅レベルとなるため、この再生信号の振幅レベルから最適な記録光量および記録磁界強度を設定できる。これにより、光記録媒体への情報の高密度記録化を実現している。
【０００６】
また、上記文献２には、ランド・グルーブ記録を行う場合の記録方法が開示されている。この方法では、まず、光記録媒体の特定トラック及びそれに隣接するトラックの情報を消去する。次に、隣接トラックに記録パワーを変化させて所定の情報を記録する。続いて、上記特定トラックを再生して再生信号レベルを検出する。そして、検出した再生信号レベルと上記記録パワーとを関連付け、再生信号レベルが急激に増大する記録パワーを、上記特定トラックにおける最適な記録パワーに設定する。これにより、光記録媒体への情報の高密度記録化を実現している。
【０００７】
なお、上記文献２に記載の第５の実施形態には、ランド・グルーブの両方で最適な記録パワーを求めることが記載されている。ここでは、例えば、ランドの記録パワーを求める際に、グルーブに対して信号を記録し、その後、ランドを再生して再生レベルが急激に増大する記録パワーをランドの最適な記録パワーとしている。
【０００８】
【発明が解決しようとする課題】
ところが、上記の文献１に開示された制御方法では、特定トラックヘの最適な記録光量および記録磁界強度を設定するために、特定トラック（記録パワーの最適化を行うトラック）の再生時におけるクロストークを利用しているが、これは隣接するトラックでの記録動作により、特定トラックに与えられる影響を示しており、特定トラックでの記録動作が、隣接するトラックへ与える影響を示しているわけではない。
【０００９】
よって、特定トラックと隣接するトラックに記録感度差が存在すれば、記録光量および記録磁界強度を最適に設定することができないという問題が生じる。
【００１０】
また、上記の文献２に開示された記録方法では、上記の文献１と同様に、隣接するトラックでの記録動作により特定トラック（記録パワーの最適化を行うトラック）に与えられる影響を、特定トラックを再生することで検出し、これにより特定トラックでの最適な記録パワーを求めているにすぎない。
【００１１】
それゆえ、特定トラックと隣接するトラックに記録感度差が存在すると、記録条件を示す記録光量および記録磁界強度を最適に設定することができないという問題が生じる。
【００１２】
本発明は、上記の問題点を解決するためになされたもので、その目的は、隣接するトラック間に記録感度の相違が存在する場合にも、記録マークの幅を最適に制御し、信号再生時のトラック間のクロストークや、信号記録時のクロスイレーズを最小に抑え、トラックの高密度化を実現でき、かつ、処理時間を短縮して、隣接する２つのトラックの最適記録条件を設定することのできる光記録方法及び光記録装置を提供することにある。
【００１３】
【課題を解決するための手段】
本発明の第１の光記録方法は、上記の課題を解決するために、光記録媒体に対して、少なくともレーザ光を照射することにより情報の記録を行なう光記録方法において、上記光記録媒体の隣接する２つのトラックに対して、それぞれ隣接しない領域に複数の記録条件でテストパターンを記録し、少なくとも一方のトラックを再生して得られた信号に基づいて、上記２つのトラックの最適記録条件を設定し、各トラックに、それぞれの最適記録条件により情報を記録することを特徴としている。
【００１４】
上記の構成によれば、各トラックに対してテストパターンが記録された領域を再生すれば、テストパターンに応じてレベル変動している信号が得られ、テストパターンが記録されていない領域を再生すれば、レベル変動のほとんどない信号が得られる。しかしながら、各トラックにおいて、テストパターンが記録されていない領域では、記録条件によって、隣接するトラックのテストパターンの一部がはみ出して形成される虞がある。
【００１５】
したがって、このテストパターンが記録されていない領域を読み出して得られる信号は、隣接するトラックの記録感度に影響されることを示している。つまり、特定トラックに隣接するトラックの記録感度が高ければ、特定トラックへの隣接トラックからのテストパターンのはみ出し部分が大きくなり、特定トラックのテストパターンが形成されていない領域を読み出して得られる信号のレベル変動は大きくなる。一方、隣接トラックの記録感度が低ければ、特定トラックのへの隣接トラックからのテストパターンのはみ出し部分が小さくなり、特定トラックのテストパターンが形成されていない領域を読み出して得られる信号のレベル変動は小さくなる。
【００１６】
よって、特定トラックの記録感度は、テストパターンが記録された領域と、特定トラックに隣接するトラックにおいて、テストパターンが記録された領域に隣接する、テストパターンが記録されていない領域を読み出すことで検出できる。また、特定トラックに隣接するトラックの記録感度は、テストパターンが記録された領域と、隣接する特定トラックにおいて、テストパターンが記録された領域に隣接する、テストパターンが記録されていない領域を読み出すことで検出できる。
【００１７】
特定トラックおよび隣接するトラックには、テストパターンが記録された領域と、テストパターンが記録された領域に隣接する、テストパターンが記録されていない領域が存在する。
【００１８】
これにより、特定トラックおよび隣接トラックの少なくとも一方の再生信号によって、それぞれのトラック間に記録感度の差が生じていても、これら２つのトラックに対する最適記録条件を求めることができる。
【００１９】
以上のようにして、各トラックの最適記録条件を求めれば、隣接するトラックがランド・グルーブのように記録感度が異なる場合であっても、各トラックにおける記録マーク幅を最適に制御することができるので、信号再生時のトラック間のクロストークや、信号記録時のクロスイレーズを最小に抑え、トラックの高密度化を実現できる。
【００２０】
本発明の第２の光記録方法は、上記の課題を解決するために、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第１トラックを再生して、第１の領域から第１読出信号を検出するとともに、第４の領域から第４読出信号を検出し、上記第２トラックを再生して、第２の領域から第２読出信号を検出するとともに、第３の領域から第３読出信号を検出し、上記第１読出信号および第４読出信号とに基づいて、第１トラックに対する最適記録条件を決定し、上記第２読出信号と第３読出信号とに基づいて、第２トラックに対する最適記録条件を決定し、各トラックに、それぞれの最適記録条件により情報を記録することを特徴としている。
【００２１】
上記の構成によれば、上記第１トラックの第１の領域の第１テストパターンの記録マークは、上記第２トラックの第３の領域に第３テストパターンが記録される前に記録されているので、該第１の領域から読み出される第１読出信号は、上記第３の領域に記録された第３テストパターンの記録マークの影響を受ける。
【００２２】
これに対して、上記第１トラックの第４の領域の第４テストパターンの記録マークは、上記第２トラックの第２の領域に第２テストパターンが記録された後で記録されているので、該第４の領域から読み出される第４読出信号は、上記第４の領域に記録された第４テストパターンの記録マークの影響を示している。
【００２３】
また、上記第２トラックの第２の領域の第２テストパターンは、上記第１トラックの第４の領域に第４テストパターンが記録される前に記録されているので、該第２の領域から読み出される第２読出信号は、上記第４の領域に記録された第４テストパターンの記録マークの影響を受ける。
【００２４】
これに対して、上記第２トラックの第３の領域の第３テストパターンは、上記第１トラックの第１の領域の第１テストパターンが記録された後で記録されているので、該第３の領域から読み出される第３読出信号は、上記第３の領域に記録された第３テストパターンの記録マークの影響を示している。
【００２５】
したがって、第１トラックに対する最適記録条件は、第２トラックの第３テストパターンの記録マークの影響を受けた第１読出信号と、第２トラックの第２テストパターンの記録マークの影響を受けない第４読出信号とに基づいて決定し、また、第２トラックに対する最適記録条件は、第１トラックの第４テストパターンの記録マークの影響を受けた第２読出信号と、第１トラックの第１テストパターンの記録マークの影響を受けない第３読出信号とに基づいて決定することは、第１トラックおよび第２トラックのそれぞれの再生信号（記録感度）を考慮して最適記録条件を決定していることになる。
【００２６】
これにより、隣接するトラックがランド・グルーブのように各トラック間に、記録感度の相違が生じていても各トラック毎に最適な記録条件を求めることが可能となり、この最適な記録条件によって各トラックに情報を記録するようにすれば、信号再生時のトラック間のクロストークや、信号記録時のトラック間のクロスイレーズを最小に抑えることができるので、トラックの高密度化を実現できる。
【００２７】
上記第１読出信号が所定の値となる第１記録条件によって形成される記録マークよりも小さな記録マークを形成する記録条件を求め、この記録条件を上記第２トラックに対する最適記録条件としてもよい。
【００２８】
この場合、第１読出信号は、第２トラックの第３の領域に記録された第３テストパターンの記録マークの影響を受けた信号となっているので、第１読出信号が所定の値となる第１記録条件によって形成される記録マークは、第３テストパターンの記録マークの影響を受けたものとなる。
【００２９】
したがって、この記録マークよりも小さな記録マークを形成する記録条件とは、第１読出信号が第３テストパターンの記録マークの影響をできるだけ小さくした場合の記録条件、すなわち第２トラックに対する最適記録条件となる。
【００３０】
このように、第１トラックの第１読出信号により第２トラックの最適記録条件を求めるようにすれば、第１トラックの再生のみで最適記録条件を求めることができるので、処理にかかる時間を短縮することができる。
【００３１】
そして、上記第１読出信号が所定の値に到達しないときには、上記第３読出信号が所定の値となる第３記録条件によって形成される記録マークよりも大きな記録マークを形成する記録条件を求めて、この記録条件を上記第２トラックに対する最適記録条件としてもよい。
【００３２】
また、上記第２読出信号が所定の値となる第２記録条件によって形成される記録マークよりも小さな記録マークを形成する記録条件を求め、この記録条件を上記第１トラックに対する最適記録条件としてもよい。
【００３３】
この場合、第２読出信号は、第１トラックの第４の領域に記録された第４テストパターンの記録マークの影響を受けた信号となっているので、第２読出信号が所定の値となる第２記録条件によって形成される記録マークは、第４テストパターンの記録マークの影響を受けたものとなる。
【００３４】
したがって、この記録マークよりも小さな記録マークを形成する記録条件とは、第２読出信号が第４テストパターンの記録マークの影響をできるだけ小さくした場合の記録条件、すなわち第１トラックに対する最適記録条件となる。
【００３５】
このように、第２トラックの第２読出信号により第１トラックの最適記録条件を求めるようにすれば、第２トラックの再生のみで最適記録条件を求めることができるので、処理にかかる時間を短縮することができる。
【００３６】
そして、上記第２読出信号が所定の値に到達しないときには、上記第４読出信号が所定の値となる第４記録条件によって形成される記録マークよりも大きな記録マークを形成する記録条件を求めて、この記録条件を上記第１トラックに対する最適記録条件としてもよい。
【００３７】
本発明の第３の光記録方法は、上記の課題を解決するために、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第１トラックを再生し、第１の領域から第１読出信号を検出するとともに、第４の領域から第４読出信号を検出し、上記第１読出信号が所定の値となる第１記録条件によって形成される記録マークよりも小さな記録マークとなる記録条件を求めて、この記録条件を第２トラックにおける最適記録条件とし、上記第４読出信号が所定の値となる第４記録条件によって形成される記録マークよりも大きな記録マークとなる記録条件を求めて、この記録条件を第１トラックにおける最適記録条件とし、上記光記録媒体の各トラックに、それぞれの最適記録条件により情報を記録することを特徴としている。
【００３８】
上記の構成によれば、上記第１トラックの第１の領域の第１テストパターンの記録マークは、上記第２トラックの第３の領域に第３テストパターンが記録される前に記録されているので、該第１の領域から読み出される第１読出信号は、上記第３の領域に記録された第３テストパターンの記録マークの影響を受ける。
【００３９】
これに対して、上記第１トラックの第４の領域の第４テストパターンの記録マークは、上記第２トラックの第２の領域に第２テストパターンが記録された後で記録されているので、該第４の領域から読み出される第４読出信号は、上記第４の領域に記録された第４テストパターンの記録マークの影響を示している。
【００４０】
ここで、第１読出信号は、第２トラックの第３の領域に記録された第３テストパターンの記録マークの影響を受けた信号となっているので、第１読出信号が所定の値となる第１記録条件によって形成される記録マークは、第３テストパターンの記録マークの影響を受けたものとなる。
【００４１】
したがって、第１読出信号が所定の値となる第１記録条件によって形成される記録マークよりも小さな記録マークを形成する記録条件とは、第１読出信号が第３テストパターンの記録マークの影響をできるだけ小さくした場合の記録条件、すなわち第２トラックに対する最適記録条件となる。
【００４２】
また、第４読出信号は、第２トラックの第２の領域に記録された第２テストパターンの記録マークの影響は受けない。
【００４３】
したがって、上記第４読出信号が所定の値となる第４記録条件によって形成される記録マークよりも大きな記録マークとなる記録条件とは、第１トラックにおける最適記録条件となる。
【００４４】
このように、第１トラックを再生して第１読出信号および第４読出信号を検出するだけで、第１トラックと第２トラックに対するそれぞれの最適記録条件を求めることができるので、最適記録条件を決定するまでの処理に係る時間を短縮することができる。
【００４５】
本発明の第４の光記録方法は、上記の課題を解決するために、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第２トラックを再生し、第２の領域から第２読出信号を検出するとともに、第３の領域から第３読出信号を検出し、上記第２読出信号が所定の値となる第２記録条件によって形成される記録マークよりも小さな記録マークとなる記録条件を求めて、この記録条件を第１トラックにおける最適記録条件とし、上記第３読出信号が所定の値となる第３記録条件によって形成される記録マークよりも大きな記録マークとなる記録条件を求めて、この記録条件を第２トラックにおける最適記録条件とし、上記光記録媒体の各トラックに、それぞれの最適記録条件により情報を記録することを特徴としている。
【００４６】
上記の構成によれば、上記第２トラックの第２の領域の第２テストパターンは、上記第１トラックの第４の領域に第４テストパターンが記録される前に記録されているので、該第２の領域から読み出される第２読出信号は、上記第４の領域に記録された第４テストパターンの記録マークの影響を受ける。
【００４７】
これに対して、上記第２トラックの第３の領域の第３テストパターンは、上記第１トラックの第１の領域の第１テストパターンが記録された後で記録されているので、該第３の領域から読み出される第３読出信号は、上記第３の領域に記録された第３テストパターンの記録マークの影響を示している。
【００４８】
ここで、第２読出信号は、第１トラックの第４の領域に記録された第４テストパターンの記録マークの影響を受けた信号となっているので、第２読出信号が所定の値となる第２記録条件によって形成される記録マークは、第４テストパターンの記録マークの影響を受けたものとなる。
【００４９】
したがって、第２読出信号が所定の値となる第２記録条件によって形成される記録マークよりも小さな記録マークを形成する記録条件とは、第２読出信号が第４テストパターンの記録マークの影響をできるだけ小さくした場合の記録条件、すなわち第１トラックに対する最適記録条件となる。
【００５０】
また、第３読出信号は、第１トラックの第１の領域に記録された第１テストパターンの記録マークの影響は受けない。
【００５１】
したがって、上記第３読出信号が所定の値となる第３記録条件によって形成される記録マークよりも大きな記録マークとなる記録条件とは、第２トラックにおける最適記録条件となる。
【００５２】
このように、第２トラックを再生して第２読出信号および第３読出信号を検出するだけで、第１トラックと第２トラックに対するそれぞれの最適記録条件を求めることができるので、最適記録条件を決定するまでの処理に係る時間を短縮することができる。
【００５３】
上記読出信号の検出量として、信号振幅を用いてもよいし、ジッタを用いてもよいし、エラーを用いてもよい。
【００５４】
上記信号振幅は、十分に記録されたマーク、隣接トラックからの滲み出しの影響を示す信号レベルの変化を検出するために使用する。
【００５５】
また、上記ジッタおよびエラーは、何れも光ディスクのパワーマージンの規定になっていることが多く、十分に記録されたマーク、隣接トラックからの滲み出しの影響を、その光ディスクのマージン規定の閾値と合致する値で示すことができる。
【００５６】
このように、読出信号の検出量として、信号振幅、ジッタ、エラーの何れを用いても、記録条件を設定したい特定トラックに実際に記録を行い、その特定トラックからの再生信号として十分な再生信号が得られる条件、および、隣接トラックからの再生信号によりクロストークの生じない条件を求めることができるため、隣接するトラック間に記録感度の相違が生じていたとしても適切な記録条件を求めることが可能となる。
【００５７】
本発明の第１の光記録方法を実現する装置として、以下のような光記録装置が考えられる。
【００５８】
本発明の第１の光記録装置は、例えば、光記録媒体に対して、少なくともレーザ光を照射することにより情報の記録を行なう光記録装置において、上記光記録媒体の隣接する２つのトラックに対して、それぞれ隣接しない領域に複数の記録条件でテストパターンを記録する記録手段と、上記記録手段によって記録されたテストパターンを含む各トラックを再生する再生手段と、上記２つのトラックの再生信号の、少なくとも一方の再生信号に基づいて、上記２つのトラックの最適記録条件を設定する最適記録条件設定手段とを備えていることを特徴としている。
【００５９】
この光記録装置によっても、特定トラックおよび隣接トラックの少なくとも一方の再生信号によって、例えば隣接するトラックがランド・グルーブのように、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できる。
【００６０】
また、本発明の第２の光記録方法を実現する装置として、以下のような光記録装置が考えられる。
【００６１】
本発明の第２の光記録装置は、例えば、光記録媒体に対して、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第１トラックを再生し、第１の領域から第１読出信号を検出するとともに、第４の領域から第４読出信号を検出し、上記第２トラックを再生し、第２の領域から第２読出信号を検出するとともに、第３の領域から第３読出信号を検出する信号検出手段と、上記第１読出信号および第４読出信号とに基づいて、第１トラックに対する最適記録条件を決定し、上記第２読出信号と第３読出信号とに基づいて、第２トラックに対する最適記録条件を決定する最適記録条件設定手段とを備えた光記録装置を使用してもよい。
【００６２】
この光記録装置によっても、特定トラックおよび隣接トラックの少なくとも一方の再生信号によって、隣接するトラックがランド・グルーブのように各トラック間に、記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できる。
【００６３】
また、本発明の第３の光記録方法を実現する装置として、以下のような光記録装置が考えられる。
【００６４】
本発明の第３の光記録装置は、例えば、光記録媒体に対して、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第１トラックを再生し、第１の領域から第１読出信号を検出するとともに、第４の領域から第４読出信号を検出する信号検出手段と、上記第１読出信号が所定の値となる第１記録条件によって形成される記録マークよりも小さな記録マークとなる記録条件を求めて、この記録条件を第２トラックにおける最適記録条件を決定し、上記第４読出信号が所定の値となる第４記録条件によって形成される記録マークよりも大きな記録マークとなる記録条件を求めて、この記録条件を第１トラックにおける最適記録条件を決定する最適記録条件設定手段とを備えているものであってもよい。
【００６５】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できる。
【００６６】
さらに、本発明の第４の光記録方法を実現する装置として、以下のような光記録装置が考えられる。
【００６７】
本発明の第４の光記録装置は、例えば、光記録媒体に対して、最適記録条件によって、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第２トラックを再生し、第２の領域から第２読出信号を検出するとともに、第３の領域から第３読出信号を検出する信号検出手段と、上記第２読出信号が所定の値となる第２記録条件によって形成される記録マークよりも小さな記録マークとなる記録条件を求めて、この記録条件を第１トラックにおける最適記録条件を決定し、上記第３読出信号が所定の値となる第３記録条件によって形成される記録マークよりも大きな記録マークとなる記録条件を求めて、この記録条件を第２トラックにおける最適記録条件を決定する最適記録条件設定手段とを備えていることを特徴としている。
【００６８】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できる。
【００６９】
また、上記光記録方法および光記録装置において使用される光記録媒体としては、上記第１トラックが、ランドかグルーブのどちらか一方に形成されたトラックであり、上記第２トラックは、その他方に形成されたトラックである、ランド／グルーブの両方に情報を記録可能な光記録媒体であってもよい。
【００７０】
この場合には、ランド／グルーブの両方を情報の記録トラックとして使用しているので、情報を高密度に記録することが可能となる。
【００７１】
【発明の実施の形態】
本発明の実施の形態について、図１ないし図１９を用いて説明すれば、以下のようになる。なお、本実施の形態を説明する前に、本発明の光記録方法を適用した光記録装置を備えた光磁気記録再生装置について説明し、その後、各種の光記録方法について各実施の形態において説明する。
【００７２】
本実施の形態に係る光磁気記録再生装置は、図１８に示すように、光記録媒体としての光磁気ディスク１００に対して情報の記録再生を行うためのピックアップ１０１を備えている。
【００７３】
上記ピックアップ１０１は、光磁気ディスク１００に対してレーザビームｂ１を照射する半導体レーザ１０２と、該光磁気ディスク１００からの反射光ｂ２を受光して電気信号に変換するフォトダイオード１０３と、該光磁気ディスク１００に磁界を印加する磁気ヘッド１０４とで構成されている。
【００７４】
上記半導体レーザ１０２には、レーザビームｂ１の照射強度を制御するための駆動電流ｆを該半導体レーザ１０２に供給する駆動回路１０５が接続され、上記フォトダイオード１０３には、該フォトダイオード１０３が受光した反射光ｂ２に基づいて読出信号ｒ１を増幅するための増幅器１０６が接続され、上記磁気ヘッド１０４には、光磁気ディスク１００に対する情報の記録に必要な記録磁界を発生させるための駆動電流ｈを供給する駆動回路１０７が接続されている。
【００７５】
上記駆動回路１０５には、スイッチ回路１０８が接続されており、このスイッチ回路１０８によって、再生光量設定回路１０９からの再生光量制御信号ｐ１と、記録光量設定回路１１０からの記録光量制御信号ｐ２とが切り換えられて入力されるようになっている。
【００７６】
上記増幅器１０６は、フォトダイオード１０３からの読出信号ｒ１を増幅した読出信号ｒ２を、Ａ／Ｄ変換器１１１とクロック抽出回路１１２とに出力するようになっている。
【００７７】
上記クロック抽出回路１１２は、増幅器１０６からの読出信号ｒ２に含まれるクロック信号を抽出し、外部クロックｃを上記Ａ／Ｄ変換器１１１に供給するようになっている。
【００７８】
上記Ａ／Ｄ変換器１１１は、  クロック抽出回路１１２から供給された外部クロックｃに基づいて、増幅器１０６からの読出信号ｒ２をデジタル値ｄに変換するようになっている。
【００７９】
また、上記駆動回路１０７には、テストパターン発生回路１１３が接続されている。このテストパターン発生回路１１３は、磁気ヘッド１０４に対する記録パターン（正転パターン・反転パターン）に対応したテストパターンを発生し、このテストパターンを記録信号ｇとして駆動回路１０７に出力するようになっている。なお、テストパターン発生回路１１３におけるテストパターン発生についての詳細は後述する。
【００８０】
さらに、上記ピックアップ１０１には、該ピックアップ１０１を光磁気ディスク１００に対する情報の記録・再生位置に駆動させるピックアップ駆動装置１１４が接続されている。
【００８１】
上記ピックアップ駆動装置１１４には、制御手段としてのＣＰＵ１１５からの制御信号ｃ１が入力される。そして、ピックアップ駆動装置１１４は、この制御信号ｃ１に基づいてピックアップ１０１の駆動制御を行うようになっている。
【００８２】
また、上記ＣＰＵ１１５は、上記ピックアップ駆動装置１１４の他に、上記スイッチ回路１０８にスイッチング制御のための制御信号ｃ２を、上記記録光量設定回路１１０に記録光量制御のための制御信号ｃ３を、上記テストパターン発生回路１１３にテストパターン発生制御のための制御信号ｃ４を供給するようになっている。
【００８３】
上記構成の光磁気記録再生装置では、磁気ヘッド１０４により光磁気ディスク１００の記録対象位置の磁界を変調させ、該記録対象位置に半導体レーザ１０２によりレーザビームｂ１を照射することによって、上記光磁気ディスク１００に対して情報を記録する、所謂磁界変調記録を行うようになっている。
【００８４】
したがって、情報の記録の高密度化を図るには、上記半導体レーザ１０２のレーザビームの記録光量と、上記磁気ヘッド１０４の印加磁界の記録磁界強度との最適化を図る必要がある。
【００８５】
そこで、以下の各実施の形態では、磁界変調記録における上記半導体レーザ１０２から照射されるレーザビームの記録光量と、上記磁気ヘッド１０４から印加される記録磁界強度との最適化について説明する。なお、記録光量の最適化の説明と記録磁界強度との最適化の説明は、ほぼ同じであるので、ここでは、主に記録光量の最適化の説明を行う。したがって、以後は記録磁界強度を一定とし、記録光量を変化させながら最適な記録光量を求める場合を例にとって説明する。
【００８６】
本発明では、特定トラック上の記録マークの幅と、隣接トラックへ記録マークがどれだけ滲みだすかを読出信号（再生信号）で検出することにより、特定トラックおよび隣接トラックでの記録マークの幅を最適化し、それぞれのトラックにおける最適な記録光量を求める。そして、この最適記録光量に基づき特定トラックおよび隣接トラックに情報を記録する。
【００８７】
（実施の形態１）
本発明の実施の一形態について図１ないし図５に基づいて説明すれば、以下の通りである。なお、本実施の形態の記録光量の制御（最適記録条件を求める制御）は、図１８に示す光磁気記録再生装置において行なわれるものとする。
【００８８】
まず、本実施の形態における特徴部分である光磁気ディスク１００に照射する記録光量の最適化の原理について以下に説明する。
【００８９】
（第１ステップ）
まず、図１（ａ）に示すように、第１トラック（特定トラック）としてのトラックＴｒ（ｎ−１）、Ｔｒ（ｎ＋１）の第１の領域１１と、この第１の領域１１に隣接していない第２トラック（隣接トラック）としてのトラックＴｒ（ｎ）、Ｔｒ（ｎ＋２）の第２の領域１２を消去する。これにより、光ビームの光量は、消去する消去領域１および２の幅がトラック幅よりも大きくなるような高めに設定しておく。すなわち、第１トラックの第１の領域１１に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録することになる。
【００９０】
ここで、トラックＴｒ（ｎ−１）、Ｔｒ（ｎ＋１）の第１の領域１１を消去するとは、トラックＴｒ（ｎ−１）、Ｔｒ（ｎ＋１）の第１の領域１１に、第１テストパターンとしての消去パターンを記録すること、トラックＴｒ（ｎ）、Ｔｒ（ｎ＋２）の第２の領域１２を消去するとは、トラックＴｒ（ｎ）、Ｔｒ（ｎ＋２）の第２の領域１２に、第２テストパターンとしての消去パターンを記録することと同義である。
【００９１】
なお、図１（ａ）（ｂ）において、トラックＴｒ（ｎ）とＴｒ（ｎ＋２）は、高密度トラックの方式として良く知られるランド・グルーブ記録においては例えばグルーブであり、トラックＴｒ（ｎ−１）とＴｒ（ｎ＋１）は例えばランドである。
【００９２】
（第２ステップ）
次に、図１（ｂ）において、光量を変化させながら、トラックＴｒ（ｎ−１）、Ｔｒ（ｎ＋１）の第１の領域１１に隣接するトラックＴｒ（ｎ）、Ｔｒ（ｎ＋２）の第３の領域１３に記録磁界を反転させて、所定パターンの記録マーク３を形成する。すなわち、第２トラックであるトラックＴｒ（ｎ）、Ｔｒ（ｎ＋２）の第３の領域１３に、該トラックＴｒ（ｎ）、Ｔｒ（ｎ＋２）幅に対して大小様々な幅を有する記録マーク３からなる第３テストパターンが記録される。
【００９３】
続いて、光量を変化させながら、トラックＴｒ（ｎ）、Ｔｒ（ｎ＋２）の第２の領域１２に隣接するトラックＴｒ（ｎ−１）、Ｔｒ（ｎ＋１）の第４の領域１４に記録磁界を反転させて、所定パターンの記録マーク４を形成する。すなわち、第１トラックであるトラックＴｒ（ｎ−１）、Ｔｒ（ｎ＋１）の第４の領域１４に、該トラックＴｒ（ｎ−１）、Ｔｒ（ｎ＋１）幅に対して大小様々な幅を有する記録マーク４からなる第４テストパターンが記録される。
【００９４】
なお、図１（ｂ）では、段階的に光量を変化させた例を示してる。それゆえ、第３および第４テストパターンにおいて、各記録マークの幅は順次変化したものとなっている。
【００９５】
（第３ステップ）
次に、トラックＴｒ（ｎ）を読み出して、図１（ｃ）に示すように、第３の領域１３での読出信号（第３読出信号）５と第２の領域１２での読出信号（第２読出信号）６を検出する。これらの読出信号の振幅は、図１（ｃ）に示すようになる。
【００９６】
ここでは、段階的に光量を変化させていくことで、記録マーク３の幅が徐々に広くなっていくため、信号振幅Ｖ（ｎ）は徐々に大きくなっていく。そして、トラックＴｒ（ｎ−１）、Ｔｒ（ｎ＋１）への記録マーク４のトラックＴｒ（ｎ）への滲み出しがないため、読出信号６の信号振幅Ｖ（ｎ）は０となる。さらに、読出信号６の信号振幅Ｖ（ｎ）は、徐々に記録マーク４の幅が大きくなることによるトラックＴｒ（ｎ）への滲み出しの影響で、徐々に大きくなっていく。
【００９７】
（第４ステップ）
次に、トラックＴｒ（ｎ＋１）を読み出して、図１（ｃ）に示すように、第１の領域１１での読出信号（第１読出信号）７と第４の領域１４での読出信号（第４読出信号）８を検出する。これらの読出信号の振幅は、図１（ｃ）に示すようになる。
【００９８】
ここでは、トラックＴｒ（ｎ）、Ｔｒ（ｎ＋２）への記録マーク３のトラックＴｒ（ｎ＋１）への滲み出しがないため、読出信号７の信号振幅Ｖ（ｎ＋１）は０となる。さらに、読出信号７の信号振幅Ｖ（ｎ＋１）は、段階的に光量を変化させていくことで、徐々に記録マーク３の幅が大きくなり、トラックＴｒ（ｎ＋１）への滲み出しの影響で、徐々に大きくなっていく。そして、トラックＴｒ（ｎ＋１）の第４の領域への記録マーク４の幅が徐々に広くなっていくため、読出信号８の信号振幅Ｖ（ｎ＋１）は徐々に大きくなっていく。
【００９９】
（第５ステップ）
次に、上記したトラックＴｒ（ｎ）、Ｔｒ（ｎ＋１）からの読出信号（具体的には信号振幅Ｖ（ｎ）、Ｖ（ｎ＋１））と記録光量とを関連付ける。
【０１００】
ここで、記録光量と信号振幅との関係について図２（ａ）（ｂ）を参照しながら以下に説明する。
【０１０１】
なお、図２（ａ）は、トラックＴｒ（ｎ）の第３の領域１３での読出信号５の信号振幅Ｖ（ｎ）の変化Ｖ１と、隣接するトラックＴｒ（ｎ＋１）の第１の領域１１の読出信号７の信号振幅Ｖ（ｎ＋１）の変化Ｖ２を、記録光量の増加に対して、プロットしたものである。
【０１０２】
また、図２（ｂ）は、トラックＴｒ（ｎ）の第２の領域１２の読出信号６の信号振幅Ｖ（ｎ）の変化Ｖ３と、隣接するトラックＴｒ（ｎ＋１）の第４の領域１４の読出信号８の信号振幅Ｖ（ｎ＋１）の変化Ｖ４を、記録光量の増加に対して、プロットしたものである。
【０１０３】
図２（ａ）に示すグラフから、記録光量が低いときは信号振幅の変化Ｖ１、Ｖ２はともに小さく、記録光量の増加にともなって次第に記録マークの幅が広くなり、まず、信号振幅の変化Ｖ１が、そして、次に、信号振幅の変化Ｖ２が増加していることが分かる。
【０１０４】
ここで、信号振幅の変化Ｖ１が大きいことは、トラックＴｒ（ｎ）への記録マークの幅が広いことを意味しており、信号振幅の変化Ｖ２が大きいことは、トラックＴｒ（ｎ）への記録マークの幅が広くなりすぎ、隣接トラックＴｒ（ｎ＋１）への記録マークの滲み出しが大きいことを意味している。
【０１０５】
したがって、信号振幅の変化Ｖ１が大きい条件（例えば、略最大値、最大値から所定割合以上、所定値以上などの条件）、及び、信号振幅の変化Ｖ２が小さい条件（例えば、略０、最大値から所定割合以下、所定値以下などの条件）を満たす記録光量をトラックＴｒ（ｎ）における最適記録光量とすれば、適正な記録光量を得ることができることが分かる。なお、上記最適記録光量を、本発明における最適記録条件の一つと考え、以下の説明および以下の実施の形態においては、最適記録光量を最適記録条件とする。
【０１０６】
また、図２（ｂ）に示すグラフから、記録光量が低いときは信号振幅の変化Ｖ３、Ｖ４はともに小さく、記録光量の増加にともなって次第に記録マークの幅が広くなり、まず、信号振幅の変化Ｖ４が、そして、次に、信号振幅の変化Ｖ３が増加していることが分かる。
【０１０７】
ここで、信号振幅の変化Ｖ４が大きいことは、トラックＴｒ（ｎ＋１）への記録マークの幅が広いことを意味しており、信号振幅の変化Ｖ３が大きいことは、トラックＴｒ（ｎ＋１）への記録マークの幅が広くなりすぎ、隣接トラックＴｒ（ｎ）への記録マークの滲み出しが大きいことを意味している。
【０１０８】
したがって、信号振幅の変化Ｖ４が大きい条件（例えば、略最大値、最大値から所定割合以上、所定値以上などの条件）、及び、信号振幅の変化Ｖ３が小さい条件（例えば、略０、最大値から所定割合以下、所定値以下などの条件）を満たす記録光量をトラックＴｒ（ｎ＋１）における最適記録光量とすれば、適正な記録光量を得ることができることが分かる。
【０１０９】
なお、上記条件を満たす記録光量に範囲がある場合は、さまざまな誤差の影響に対して最も余裕をもつことができるよう、範囲の中心の記録光量を最適記録光量とすることが望ましい。
【０１１０】
続いて、図１（ａ）〜（ｃ）に示した記録条件設定方法の具体的動作について、図３に示すフローチャートを参照しながら以下に説明する。
【０１１１】
まず、光磁気ディスク１００のトラックの第１の領域１１と第２の領域１２を高い記録光量で消去する（ステップＳ１）。具体的には、光磁気ディスク１００のトラックＴｒ（ｎ−１）、Ｔｒ（ｎ＋１）の第１の領域１１とトラックＴｒ（ｎ）、Ｔｒ（ｎ＋２）の第２の領域１２とに照射することによって、高い記録光量により消去パターンを記録する。
【０１１２】
次に、光磁気ディスク１００のトラックの第３の領域１３と第４の領域１４に記録光量を変化させながら第３および第４テストパターンを記録する（ステップＳ２）。具体的には、光磁気ディスク１００のトラックＴｒ（ｎ）、Ｔｒ（ｎ＋２）の第３の領域１３とトラックＴｒ（ｎ−１）、Ｔｒ（ｎ＋１）の第４の領域１４とに、記録光量を変化させながら第３および第４テストパターンを記録する。
【０１１３】
次に、所定の再生光量にセットする（ステップＳ３）。
【０１１４】
次いで、トラックＴｒ（ｎ）を読み出し、第３の領域１３と第２の領域１２の信号振幅を検出する（ステップＳ４）。
【０１１５】
そして、ステップＳ４において信号振幅を検出したときの、記録光量と該信号振幅を関連付けて記憶する（ステップＳ５）。
【０１１６】
続いて、トラックＴｒ（ｎ＋１）を読み出し、第１の領域１１と第４の領域１４の信号振幅を検出する（ステップＳ６）。
【０１１７】
そして、ステップＳ６において信号振幅を検出したときの、記録光量と該信号振幅を関連付けて記憶する（ステップＳ７）。
【０１１８】
次に、ステップＳ５とＳ７で記憶した信号振幅の中からトラックＴｒ（ｎ）、Ｔｒ（ｎ＋１）それぞれに対して所望条件を満たす記録光量の範囲を探す（ステップＳ８）。
【０１１９】
そして、ステップＳ８において求められた記録光量のそれぞれの範囲の中心の記録光量をトラックＴｒ（ｎ）、Ｔｒ（ｎ＋１）の最適記録光量に決定する（ステップＳ９）。
【０１２０】
上述した記録光量の制御は、図１８に示す光磁気記録再生装置において、半導体レーザ１０２から光磁気ディスク１００に照射するレーザビームｂ１の光量を制御することであり、ＣＰＵ１１５からの各制御信号に基づいて行なわれるものである。
【０１２１】
このように、本実施の形態によれば、トラックＴｒ（ｎ）及びＴｒ（ｎ＋１）の記録光量を最適に制御することができる。また、磁界変調記録において記録光量が変化しても記録マークの長さは変化しないため、読出信号の変化を検出することにより記録マークの幅のみを最適化することができる。
【０１２２】
以上説明したように、本実施の形態では、トラックＴｒ（ｎ）とＴｒ（ｎ＋１）の記録条件を設定するのに、信号振幅Ｖ（ｎ）と信号振幅Ｖ（ｎ＋１）を検知することで、ランド・グルーブ記録のような隣接するトラックＴｒ（ｎ）とトラックＴｒ（ｎ＋１）の記録感度が異なる場合にも正確に記録条件を得ることができる。なお、本実施の形態では、トラックＴｒ（ｎ−１）、Ｔｒ（ｎ＋２）にテストパターン（消去パターンを含む）を記録しているが、必ずしも必要ではない。
【０１２３】
しかしながら、トラックＴｒ（ｎ−１）、Ｔｒ（ｎ＋２）にテストパターンを記録しておけば、読出信号の信号振幅Ｖ（ｎ）、Ｖ（ｎ＋１）を増大させることができるという効果を奏する。
【０１２４】
ここで、記録感度から異なるトラックにおいて正確に記録条件を得る他の方法について説明する。
【０１２５】
この方法は、特定トラック（記録条件の最適化を行うトラック）に複数の記録条件でテストパターンを記録し、その特定トラックからの再生信号及び隣接トラックからの再生信号に基づいて、特定トラックの最適記録条件を求める方法である。
【０１２６】
この方法によれば、信号再生時のトラック間のクロストークや、信号記録時の隣接トラックヘのクロスイレーズを最小に抑えて、隣接するトラック間に記録感度の相違が生じていたとしても適切な記録条件を求めることが可能となる。
【０１２７】
ところで、上記の方法は、ランドとグルーブのうち、一方のトラックに対する最適記録条件の設定のための方法である。
【０１２８】
ここで、図１９（ａ）〜（ｃ）を参照しながら、上記の方法における記録光量の最適化の原理を説明する。なお、図１９（ａ）（ｂ）において、トラックＴｒ（ｎ）とＴｒ（ｎ＋２）は、高密度トラックの方式として良く知られるランド・グルーブ記録においては例えばグルーブであり、トラックＴｒ（ｎ−１）とＴｒ（ｎ＋１）は例えばランドである。
【０１２９】
まず、図１９（ａ）に示すように、トラックＴｒ（ｎ−１）、Ｔｒ（ｎ＋１）に、トラック幅よりも大きくなるような高めの光量で第１テストパターンとしての消去パターン１８１を記録する。
【０１３０】
次に、図１９（ｂ）において、記録光量を徐々に変化させながら、トラックＴｒ（ｎ）、Ｔｒ（ｎ＋２）に第２テストパターンの記録マーク１８２を形成する。
【０１３１】
そして、トラックＴｒ（ｎ）を読み出して読出信号１８３を検出する（図１９（ｃ））。続いて、トラックＴｒ（ｎ）に隣接するトラックＴｒ（ｎ＋１）を読み出して読出信号１８４を検出する（図１９（ｃ））。
【０１３２】
これにより、図１９（ｃ）に示すトラックＴｒ（ｎ）の読出信号１８３の信号振幅Ｖ（ｎ）は、図１９（ｂ）に示すように、記録光量の増加にともなって次第に記録マーク幅が広くなるので、増加する。一方、図１９（ｃ）に示すトラックＴｒ（ｎ＋１）の信号振幅Ｖ（ｎ＋１）は、図１９（ｂ）に示すように、トラックＴｒ（ｎ）への記録マークの幅が広くなりすぎ、トラックＴｒ（ｎ＋１）への記録マークの滲み出しが大きくなるので、増加する。
【０１３３】
したがって、信号振幅Ｖ（ｎ）が大きい条件、及び、信号振幅Ｖ（ｎ＋１）が小さい条件を満たす記録光量をトラックＴｒ（ｎ）（ここではグルーブ）における最適記録光量とする。
【０１３４】
なお、トラックＴｒ（ｎ−１）、Ｔｒ（ｎ＋２）にテストパターン（消去パターンを含む）を記録しているが、必ずしも必要ではない。しかしながら、トラックＴｒ（ｎ−１）、Ｔｒ（ｎ＋２）にテストパターンを記録しておけば、読出信号の信号振幅Ｖ（ｎ）、Ｖ（ｎ＋１）を増大させることができる。
【０１３５】
上記の方法では、トラックＴｒ（ｎ−１）、Ｔｒ（ｎ＋２）にテストパターンを記録する処理のディスク２回転分を除いても、トラックＴｒ（ｎ）、つまり、グルーブの最適記録光量の設定のためには、ディスク４回転分の処理が必要となる。
【０１３６】
そのため、他方のトラックであるランドに対する最適記録条件の設定のためには、同じだけの時間、つまり、ディスク４回転分の処理が必要となる。したがって、ランドとグルーブの両方の最適記録条件を求めるのにディスク８回転分の時間がかかる。その間、装置はユーザの指示の下で行うべき記録や再生の動作を一定時間中断することになる。このような中断が頻繁に起きればデータ転送レートの低下、即ち装置の性能低下が生じるという問題を招来する。
【０１３７】
しかしながら、本実施の形態における光記録方法によれば、上述したように、トラックＴｒ（ｎ−１）、Ｔｒ（ｎ＋２）にテストパターンを記録する処理のディスク２回転分を含まないとした場合、隣接する２つのトラック、トラックＴｒ（ｎ）及びトラックＴｒ（ｎ＋１）の最適記録光量の設定が、光磁気ディスク１００の６回転分の処理で済み、処理時間を短縮することができる。
【０１３８】
すなわち、第１トラックとしてのトラックＴｒ（ｎ）に第１テストパターンを記録する処理と、第２トラックとしてのトラックＴｒ（ｎ＋１）に第２テストパターンを記録する処理と、第２トラックに第３テストパターンを記録する処理と、第１トラックに第４テストパターンを記録する処理と、第１トラックを再生して第１読出信号と第４読出信号とを検出する処理と、第２トラックを再生して第２読出信号と第３読出信号とを検出する処理とを実行するために、光ディスクを６回転すればよいだけであり、最適記録条件の設定に必要な処理時間を大幅に短縮することができる。
【０１３９】
なお、本実施の形態の記録光量の最適化方法（制御方法）は、上記のものに限るものではなく、様々な変形が可能である。例えば、トラックＴｒ（ｎ）、トラックＴｒ（ｎ＋１）からの読出信号振幅の検出及びその振幅の記録光量との関連付けのステップは、当然ながら入れ替わっても構わない。
【０１４０】
ここで、記録光量の最適化は、情報の記録動作を行うたびに実行することが望ましいが、これに限るものではなく、例えば、記録媒体を装置内に装填した際に実行してもよい。なお、最適光量設定後の記録動作は一般に知られた動作と同様であるため、本実施の形態では省略する。
【０１４１】
なお、ここでは、光磁気記録媒体の複数のトラックＴｒのうちのトラックＴｒ（ｎ）、Ｔｒ（ｎ＋１）での最適な記録光量を求める場合について説明したが、勿論、他のトラックについても同様に求めることができる。記録光量の設定は各トラックにおいて少なくとも１回行うことが望ましいが、例えば、ランド・グルーブ記録の場合には、ランドとグルーブそれぞれにおいて少なくとも１回記録光量の設定を行えば、必ずしもすべてのトラックで行う必要はなく、複数トラック毎であってもよい。
【０１４２】
また、本実施の形態では、記録光量の最適化（設定）について述べたが、記録磁界強度を最適化するときは、まず、記録光量を一定にしておき、記録磁界強度を徐々に増加しながら、上記の動作を行うことにより、読出信号の振幅の変化によって、記録マークの幅を最適に制御することができる。
【０１４３】
ところで、上述した光記録方法では、トラックＴｒ（ｎ）の信号振幅の変化と隣接トラックＴｒ（ｎ＋１）の信号振幅の変化を検出し、それらに基づいて最適な光量を求めるようにしているが、最適記録光量の設定が行なえない場合がある。
【０１４４】
ここで、図４（ａ）（ｂ）に、トラックＴｒ（ｎ）、Ｔｒ（ｎ＋２）の第３の領域１３と、トラックＴｒ（ｎ−１）、Ｔｒ（ｎ＋１）の第４の領域１４とにテストパターンを記録後、トラックＴｒ（ｎ）の読出信号の信号振幅Ｖ（ｎ）の変化Ｖ１、Ｖ３と隣接トラックＴｒ（ｎ＋１）の読出信号の信号振幅Ｖ（ｎ＋１）の変化Ｖ２、Ｖ４を、記録光量の増加に対してプロットしたグラフを示す。
【０１４５】
図４（ａ）のグラフから、トラックＴｒ（ｎ）の第３の領域１３への記録光量が大きくなると、記録マークの幅が大きくなるため、まずは、トラックＴｒ（ｎ）第３の領域１３の信号振幅Ｖ（ｎ）が増加していき、続いて、隣接トラックＴｒ（ｎ＋１）の第１の領域１１の信号振幅Ｖ（ｎ＋１）も、記録マークの滲み出しの影響を受けて増加しているのが分かる。
【０１４６】
しかしながら、トラックＴｒ（ｎ）の第３の領域１３の記録マークによる滲み出しの影響を受けていることを判定するための閾値として、所定の信号振幅Ａ０を設けているとき、レーザビームの記録光量の最大値に制限がある場合や、光記録媒体の記録感度にばらつきがある場合には、記録光量を最大としても、隣接トラックＴｒ（ｎ＋１）の第１の領域１１における信号振幅が信号振幅Ａ０まで増加しないことがある。
【０１４７】
そこで、上述のような場合に、トラックＴｒ（ｎ）の信号振幅の変化Ｖ１のみを用いてトラックＴｒ（ｎ）の最適な光量を求める。
【０１４８】
まず、図４（ａ）のグラフにおいて、信号振幅の変化Ｖ１で信号振幅が最大となる記録光量では、トラックＴｒ（ｎ）の幅よりも大きなマークを記録する可能性があるため、ここでは、信号振幅の最大値よりも少し小さい信号振幅Ａ１を与える記録光量Ｐｘ１を検出する。そして、その記録光量Ｐｘ１に記録マークが隣接トラックへ滲み出さない程度の所定の記録光量Ｐｙ１を加算することにより、トラックＴｒ（ｎ）への最適記録光量Ｐｚ１（＝Ｐｘ１＋Ｐｙ１）を求める。
【０１４９】
なお、ここでは、記録光量Ｐｘ１に所定値（Ｐｙ１）を加算することにより最適記録光量Ｐｚ１を求めたが、例えば所定係数を乗算する等の他の所定の演算を行うことにより求めてもよい。
【０１５０】
同様に、図４（ｂ）のグラフにおいて、トラックＴｒ（ｎ＋１）の第４の領域１４からの記録マークの滲み出しの影響を受けていることを判定するための閾値として、所定の信号振幅Ａ２を設けて、トラックＴｒ（ｎ）の第２の領域１２における信号振幅が信号振幅Ａ２まで増加しないときは、トラックＴｒ（ｎ＋１）の信号振幅の最大値よりも少し小さい信号振幅Ａ３を与える記録光量Ｐｘ２を検出し、その記録光量に演算を加えること（例えば、所定の記録光量Ｐｙ２を加算する、所定係数を乗算するなど）により、トラックＴｒ（ｎ）にマークの滲み出しの影響を与えないトラックＴｒ（ｎ＋１）への最適記録光量Ｐｚ２を決定することができる。
【０１５１】
上記の記録条件設定方法の動作について、図５に示すフローチャートを参照しながら以下に説明する。なお、本記録条件設定方法は、前述の図３のフローチャートのステップＳ１からＳ７までは同じで、ステップＳ８以降の処理が異なるので、図５では、異なる処理を示すステップＳ１０〜ステップＳ１９について記載している。
【０１５２】
図３に示すフローチャートのステップＳ７に続いて、ステップＳ７にて記憶された、テスト範囲内での最大記録光量における第１の領域１１での信号振幅が所望条件に到達しているかどうか（所定の信号振幅Ａ０より大きいかどうか）を判断する（ステップＳ１０）。
【０１５３】
ステップＳ１０にて、所望条件に到達していないと判断された場合は、図３に示すフローチャートのステップＳ５にて記憶された記録光量と信号振幅の中から、第３の領域１３において所望条件を満たす（信号振幅Ａ１を与える）記録光量の範囲を検出する（ステップＳ１１）。
【０１５４】
ステップＳ１１にて検出された記録光量の範囲に所定の演算を加えて（所定の記録光量を加算して）、トラックＴｒ（ｎ）における最適記録光量を決定する（ステップＳ１２）。
【０１５５】
一方、ステップＳ１０にて、所望条件に到達していると判断された場合は、図３に示すフローチャートのステップＳ８と同様、ステップＳ５とＳ７で記憶した信号振幅の中から所望条件を満たす記録光量の範囲を探す（ステップＳ１３）。
【０１５６】
ステップＳ１３で探した範囲の中心の記録光量をトラックＴｒ（ｎ）における最適記録光量に決定する（ステップＳ１４）。
【０１５７】
続いて、図３に示すフローチャートのステップＳ５にて記憶された、テスト範囲内での最大記録光量における第２の領域１２での信号振幅が所望条件に到達しているかどうかを判断し（ステップＳ１５）、所望条件に到達していないと判断された場合は、図３に示すフローチャートのステップＳ７にて記憶された記録光量と信号振幅の中から、第４の領域の信号振幅が所望条件を満たす記録光量の範囲を検出し（ステップＳ１６）、検出された記録光量の範囲に所定の演算を加えて、トラックＴｒ（ｎ＋１）における最適記録光量を決定する（ステップＳ１７）。
【０１５８】
一方、ステップＳ１５にて、所望条件に到達している場合は、図３に示すフローチャートのステップＳ８と同様、ステップＳ５とＳ７で記憶した信号振幅の中から所望条件を満たす記録光量の範囲を探す（ステップＳ１８）。
【０１５９】
そして、ステップＳ１８で探し出された範囲の中心の記録光量をトラックＴｒ（ｎ＋１）における最適記録光量に決定する（ステップＳ１９）。
【０１６０】
上述の記録条件設定方法によれば、レーザビームの記録光量の最大値に制限がある場合や、光記録媒体の記録感度にばらつきがある場合にも最適な記録条件を求めることができる。
【０１６１】
なお、本実施の形態では、記録を行ったトラックの隣接トラックの信号振幅から記録光量の上限が求まらないときに、記録を行ったトラックの信号振幅のみから最適記録光量を求めたが、はじめから記録を行ったトラックの信号振幅が所望値となったときの記録光量に対して所定の演算を加えることで最適な記録光量を求めてもよい。この場合、記録条件の設定時間を短縮できる。
【０１６２】
また、記録条件の設定時間を短縮するという観点からすれば、記録を行ったトラックの隣接トラックの信号振幅が所望値となったときの記録光量に対して所定の演算（所定値の減算、所定係数の乗算など）を加えることで最適な記録光量を求めることも可能である。なお、記録磁界強度を最適化するときは、まず記録光量を一定にしておき、記録磁界強度を徐々に増加しながら、上記の動作を行うことにより、読出信号の振幅の変化によって、記録マークの幅を最適に制御することができる。
【０１６３】
（実施の形態２）
本発明の他の実施の形態について、図６ないし図８に基づいて説明すれば、以下の通りである。なお、本実施の形態の記録光量の制御は、図１８に示す光磁気記録再生装置において行なわれるものとする。また、説明の便宜上、前記の実施の形態１と同様の部分については、その説明を省略または簡略化する。
【０１６４】
前記実施の形態１で示した記録方法では、特定トラック上の記録マークの幅と、隣接トラックへ記録マークがどれだけ滲みだすかを読出信号で検出することにより、特定トラックおよび隣接トラックでの記録マークの幅を最適化している。
【０１６５】
本実施の形態では、特定トラック上の消去マークによる消し残りと、隣接トラックへどれだけクロスイレーズするかを読出信号（再生信号）を検出することにより、特定トラックおよび隣接トラックでの消去マークの幅を最適化する方法について説明する。すなわち、それぞれの最適な記録（消去）光量を求める。そして、その最適記録光量に基づき特定トラックおよび隣接トラックに情報を記録する。
【０１６６】
まず、本実施の形態における特徴部分である記録光量の最適化の原理について図６（ａ）〜（ｃ）を参照しながら以下に説明する。
【０１６７】
（第１ステップ）
まず、図６（ａ）に示すように、トラックＴｒ（ｎ−１）、Ｔｒ（ｎ＋１）の第１の領域１１とトラックＴｒ（ｎ）、Ｔｒ（ｎ＋２）の第２の領域１２にテストパターン（第１および第２テストパターン）を記録する。光ビームは、それにより記録する記録マーク２０および２１の幅がトラック幅よりも大きくなるような高めの光量に設定しておく。
【０１６８】
（第２ステップ）
次に、図６（ｂ）において、光量を変化させながら、トラックＴｒ（ｎ−１）、Ｔｒ（ｎ＋１）の第１の領域１１に隣接する、トラックＴｒ（ｎ）、Ｔｒ（ｎ＋２）の第３の領域１３に第３テストパターンの記録マークとしての消去マーク２２を形成する。次に、光量を変化させながら、トラックＴｒ（ｎ）、Ｔｒ（ｎ＋２）の第２の領域１２に隣接するトラックＴｒ（ｎ−１）、Ｔｒ（ｎ＋１）の第４の領域に第４テストパターンの記録マークとしての消去マーク２３を形成する。この結果、消去マークの幅は順次変化する。なお、図６（ｂ）では、段階的に光量を変化させた例が示されている。
【０１６９】
（第３ステップ）
次に、トラックＴｒ（ｎ）を読み出して、第３の領域１３での読出信号（第３読出信号）２４と第２の領域１２での読出信号（第２読出信号）２５を検出し、このときの各読出信号の信号振幅を図６（ｃ）に示す。
【０１７０】
図６（ｃ）では、段階的に光量を変化させていくことで、消去マーク２２の幅が徐々に広くなっていくため、信号振幅Ｖ（ｎ）は徐々に小さくなり、トラックＴｒ（ｎ−１）、Ｔｒ（ｎ＋１）への消去マーク２３のトラックＴｒ（ｎ）への滲み出しがないため、読出信号２５の信号振幅Ｖ（ｎ）は大きくなり、そして、徐々に消去マーク２３の幅が大きくなり、トラックＴｒ（ｎ）への滲み出しの影響で、信号振幅Ｖ（ｎ）は徐々に小さくなっていることが分かる。
【０１７１】
（第４ステップ）
次に、トラックＴｒ（ｎ＋１）を読み出して、第１の領域１１での読出信号（第１読出信号）２６と第４の領域１４での読出信号（第４読出信号）２７を検出し、このときの各読出信号の信号振幅を図６（ｃ）に示す。
【０１７２】
図６（ｃ）では、トラックＴｒ（ｎ）、Ｔｒ（ｎ＋２）への消去マーク２２のトラックＴｒ（ｎ＋１）への滲み出しがないため、読出信号２６の信号振幅Ｖ（ｎ＋１）は大きく、段階的に光量を変化させていくことで、徐々に消去マーク２２の幅が大きくなり、トラックＴｒ（ｎ＋１）への滲み出しの影響で、信号振幅Ｖ（ｎ＋１）は徐々に小さくなり、そして、消去マーク２３の幅が徐々に広くなっていくため、読出信号２７の信号振幅Ｖ（ｎ＋１）は徐々に小さくなっていくことが分かる。
【０１７３】
（第５ステップ）
次に、上記したトラックＴｒ（ｎ）、Ｔｒ（ｎ＋１）からの読出信号（具体的には信号振幅Ｖ（ｎ）、Ｖ（ｎ＋１））と記録（消去）光量とを関連付ける。
【０１７４】
ここで、記録光量と信号振幅との関係について図７（ａ）（ｂ）を参照しながら以下に説明する。
【０１７５】
図７（ａ）は、トラックＴｒ（ｎ）の第３の領域１３での読出信号２４の信号振幅Ｖ（ｎ）の変化Ｖ１１と、隣接するトラックＴｒ（ｎ＋１）の第１の領域１１の読出信号２６の信号振幅Ｖ（ｎ＋１）の変化Ｖ１２を、記録光量の増加に対して、プロットしたものである。
【０１７６】
また、図７（ｂ）は、トラックＴｒ（ｎ）の第２の領域１２の読出信号２５の信号振幅Ｖ（ｎ）の変化Ｖ１３と、隣接するトラックＴｒ（ｎ＋１）の第４の領域１４の読出信号２７の信号振幅Ｖ（ｎ＋１）の変化Ｖ１４を、記録光量の増加に対して、プロットしたものである。
【０１７７】
図７（ａ）に示すグラフから、記録光量が低いときは信号振幅の変化Ｖ１１、Ｖ１２はともに大きく、記録光量の増加にともなって次第に記録マークの幅が広くなり、まず、信号振幅の変化Ｖ１１が、そして、次に、信号振幅の変化Ｖ１２が減少していることが分かる。
【０１７８】
ここで、信号振幅の変化Ｖ１１が小さいことは、トラックＴｒ（ｎ）への記録マークの幅が広いことを意味しており、信号振幅の変化Ｖ１２が小さいことは、トラックＴｒ（ｎ）への記録マークの幅が広くなりすぎ、隣接トラックＴｒ（ｎ＋１）への記録マークの滲み出しが大きいことを意味している。
【０１７９】
したがって、信号振幅の変化Ｖ１１が小さい条件（例えば、略０、最大値から所定割合以下、所定値以下などの条件）、及び、信号振幅の変化Ｖ１２が大きい条件（例えば、略最大値、最大値から所定割合以上、所定値以上などの条件）を満たす記録光量をトラックＴｒ（ｎ）における最適記録光量とすれば、適正な記録光量を得ることができる。
【０１８０】
一方、図７（ｂ）に示すグラフから、記録光量が低いときは信号振幅の変化Ｖ１３、Ｖ１４はともに大きく、記録光量の増加にともなって次第に記録マークの幅が広くなり、まず、信号振幅の変化Ｖ１４が、そして、次に、信号振幅の変化Ｖ１３が減少していることが分かる。
【０１８１】
ここで、信号振幅の変化Ｖ１４が小さいことは、トラックＴｒ（ｎ＋１）への記録マークの幅が広いことを意味しており、信号振幅の変化Ｖ１３が小さいことは、トラックＴｒ（ｎ＋１）への記録マ一クの幅が広くなりすぎ、隣接トラックＴｒ（ｎ）への記録マークの滲み出しが大きいことを意味している。
【０１８２】
したがって、信号振幅の変化Ｖ１４が小さい条件（例えば、略０、最大値から所定割合以下、所定値以下などの条件）、及び、信号振幅の変化Ｖ１３が大きい条件（例えば、略最大値、最大値から所定割合以上、所定値以上などの条件）を満たす記録光量をトラックＴｒ（ｎ＋１）における最適記録光量とすれば、適正な記録光量を得ることができる。
【０１８３】
上記条件を満たす記録光量に範囲がある場合は、さまざまな誤差の影響に対して最も余裕をもつことができるよう、範囲の中心の記録光量を最適記録光量とすることが望ましい。
【０１８４】
このように、本実施の形態によれば、トラックＴｒ（ｎ）及びＴｒ（ｎ＋１）の記録光量を最適に制御することができる。
【０１８５】
続いて、図６（ａ）〜（ｃ）に示した記録条件設定方法の具体的動作について、図８に示すフローチャートを参照しながら以下に説明する。
【０１８６】
まず、トラックＴｒ（ｎ−１）、Ｔｒ（ｎ＋１）の第１の領域１１とトラックＴｒ（ｎ）、Ｔｒ（ｎ＋２）の第２の領域１２とに、高い記録光量によりテストパターンを記録する（ステップＳ２１）。
【０１８７】
次に、トラックＴｒ（ｎ）、Ｔｒ（ｎ＋２）の第３の領域１３とトラックＴｒ（ｎ−１）、Ｔｒ（ｎ＋１）の第４の領域１４とに、記録光量を変化させながら消去パターンを記録する（ステップＳ２２）。
【０１８８】
以後の処理は、前記実施の形態１の図３に示すフローチャートのステップＳ３以降と全く同じであるので、省略する。そして、上記の処理により、最適記録光量が決定される。
【０１８９】
なお、本実施の形態では、トラックＴｒ（ｎ−１）、Ｔｒ（ｎ＋２）にテストパターン（消去パターンも含む）を記録しているが、必ずしも必要ではない。しかしながら、トラックＴｒ（ｎ−１）、Ｔｒ（ｎ＋２）にテストパターン（消去パターンも含む）を記録しておけば、読出信号の信号振幅Ｖ（ｎ）、Ｖ（ｎ＋１）を増大させることができる。
【０１９０】
以上説明したように、本実施の形態では、トラックＴｒ（ｎ）とＴｒ（ｎ＋１）の記録条件を、信号振幅Ｖ（ｎ）と信号振幅Ｖ（ｎ＋１）を検知することで、ランド・グルーブ記録のようなトラックＴｒ（ｎ）とトラックＴｒ（ｎ＋１）の記録感度が異なる場合にも正確に得ることができる。
【０１９１】
また、ここでは記録光量の最適化（設定）について述べたが、記録磁界強度を最適化するときは、まず記録光量を一定にしておき、記録磁界強度を徐々に増加しながら、上記の動作を行うことにより、読出信号の信号振幅の変化によって、記録マークの幅を最適に制御することができる。
【０１９２】
（実施の形態３）
本発明のさらに他の実施の形態について、図９ないし図１２に基づいて説明すれば、以下の通りである。なお、本実施の形態の記録光量の制御は、図１８に示す光磁気記録再生装置において行なわれるものとする。また、説明の便宜上、前記の実施の形態１および２と同様の部分については、その説明を省略または簡略化する。
【０１９３】
前記実施の形態１および２で述べた方法は、特定トラックの信号振幅の変化と、隣接トラックヘの滲み出しを読み出した読出信号の信号振幅の変化によって、簡便に記録マークの幅を制御する方法である。しかしながら、図２、図４、図７に示したグラフから、信号振幅の変化が小さいため、検出感度が低い。
【０１９４】
そこで、本実施の形態では、この信号振幅を大きく変化させ、高感度に最適記録光量を検出する方法について説明する。
【０１９５】
上記検出方法について、図９（ａ）ないし（ｃ）を参照しながら以下に説明する。
【０１９６】
（第１ステップ）
まず、図９（ａ）に示すように、トラックＴｒ（ｎ−１）、Ｔｒ（ｎ＋１）の第１の領域１１と第１の領域１１に隣接していないトラックＴｒ（ｎ）、Ｔｒ（ｎ＋２）の第２の領域１２に、記録領域の幅がトラック幅よりも大きくなるような高めの光量により幅の広い記録マーク３０および３１を有するテストパターンを記録する。
【０１９７】
このテストパターンの記録は、後述する外部クロック方式の記録クロックに基づいて行われる。この記録マーク３０、３１の記録パターンは、後述するトラックＴｒ（ｎ）、Ｔｒ（ｎ＋２）の第３の領域１３および、トラックＴｒ（ｎ−１）、Ｔｒ（ｎ＋１）の第４の領域１４に記録するパターンを反転したものである。以後、第１の領域１１および第２の領域１２に記録するパターンを反転パターン（第１、２テストパターン）、第３の領域１３および第４の領域１４に記録するパターンを正転パターン（第３、４テストパターン）と称する。
【０１９８】
（第２ステップ）
次に、図９（ｂ）において、光量を変化させながら、トラックＴｒ（ｎ−１）、Ｔｒ（ｎ＋１）の第１の領域１１に隣接するトラックＴｒ（ｎ）、Ｔｒ（ｎ＋２）の第３の領域１３に記録磁界を反転させて、正転パターンの記録マーク３２を記録する。次いで、光量を変化させながら、トラックＴｒ（ｎ）とＴｒ（ｎ＋２）の第２の領域１２に隣接するトラックＴｒ（ｎ−１）、Ｔｒ（ｎ＋１）の第４の領域１４に記録磁界を反転させて、正転パターンの記録マーク３３を記録する。
【０１９９】
この結果、記録マークの幅は順次変化する。なお、図９（ｂ）では、段階的に光量を変化させた例が示されている。このとき、後述する外部クロック方式の記録クロックに基づいて正転パターンが記録されるため、隣接トラックの反転パターンに同期して記録が行われる。
【０２００】
（第３ステップ）
次に、トラックＴｒ（ｎ）を読み出して、第３の領域１３での読出信号（第３読出信号）３４と第２の領域１２での読出信号（第２読出信号）３５を検出し、このときの各読出信号の信号振幅を図９（ｃ）に示す。
【０２０１】
図９（ｃ）に示すグラフから、隣接トラックＴｒ（ｎ−１）、Ｔｒ（ｎ＋１）の記録マーク３０の幅が広いときは、記録マーク３２の記録時にその端部が削られ、記録マーク３２の幅が狭くなり、第３の領域１３での読出信号３４の信号振幅Ｖ（ｎ）は小さくなっていることが分かる。
【０２０２】
さらに、隣接トラックには反転パターンが記録されているため、再生時のクロストークにより、記録マーク３２の信号成分が打ち消され、信号振幅Ｖ（ｎ）はいっそう小さくなり、記録マーク３２の幅が徐々に広くなっていくと、信号振幅Ｖ（ｎ）は徐々に大きくなっていくことが分かる。
【０２０３】
また、第２の領域１２での読出信号３５は、隣接トラックＴｒ（ｎ−１）、Ｔｒ（ｎ＋１）の記録マーク３３の幅が狭いとき、トラックＴｒ（ｎ）への滲み出しがないため、信号振幅Ｖ（ｎ）は大きく、記録マーク３３の幅が徐々に広くなっていくと、記録マーク３１が徐々に削られて狭くなっていくことが分かる。
【０２０４】
さらに、再生時のクロストークにより、記録マーク３１の信号成分が打ち消され、信号振幅Ｖ（ｎ）はいっそう小さくなるのが分かる。
【０２０５】
（第４ステップ）
次に、トラックＴｒ（ｎ＋１）を読み出して、第１の領域１１での読出信号（第１読出信号）３６と第４の領域１４での読出信号（第４読出信号）３７を検出し、このときの各読出信号の信号振幅を図９（ｃ）に示す。
【０２０６】
図９（ｃ）では、トラックＴｒ（ｎ）、Ｔｒ（ｎ＋２）の記録マーク３２の幅が狭いとき、トラックＴｒ（ｎ＋１）への滲み出しがないため、読出信号３６の信号振幅Ｖ（ｎ＋１）は大きく、徐々に記録マーク３２の幅が大きくなり、トラックＴｒ（ｎ＋１）への滲み出しの影響と、さらに再生時のクロストークにより、信号振幅Ｖ（ｎ＋１）は徐々に小さくなっていくのが分かる。
【０２０７】
また、第４の領域１４での読出信号３７は、記録マーク３３の幅が狭いとき、信号振幅Ｖ（ｎ＋１）は小さく、さらに、隣接トラックには反転パターンが記録されているため、再生時のクロストークにより、記録マーク３３の信号成分が打ち消され、信号振幅Ｖ（ｎ＋１）はいっそう小さくなり、記録マーク３３の幅が徐々に広くなっていくと、信号振幅Ｖ（ｎ＋１）は徐々に大きくなっていくことが分かる。
【０２０８】
（第５ステップ）
次に、上記したトラックＴｒ（ｎ）、Ｔｒ（ｎ＋１）からの読出信号（具体的には信号振幅Ｖ（ｎ）、Ｖ（ｎ＋１））と記録光量とを関連付ける。
【０２０９】
ここで、記録光量と信号振幅との関係について図１０（ａ）（ｂ）を参照しながら以下に説明する。
【０２１０】
図１０（ａ）は、トラックＴｒ（ｎ）の第３の領域１３での読出信号３４の信号振幅Ｖ（ｎ）の変化Ｖ２１と、隣接するトラックＴｒ（ｎ＋１）の第１の領域１１の読出信号３６の信号振幅Ｖ（ｎ＋１）の変化Ｖ２２を、記録光量の増加に対して、プロットしたものである。
【０２１１】
また、図１０（ｂ）は、トラックＴｒ（ｎ）の第２の領域１２の読出信号３５の信号振幅Ｖ（ｎ）の変化Ｖ２３と、隣接するトラックＴｒ（ｎ＋１）の第４の領域１４の読出信号３７の信号振幅Ｖ（ｎ＋１）の変化Ｖ２４を、記録光量の増加に対して、プロットしたものである。
【０２１２】
図１０（ａ）、（ｂ）において、記録光量が低いときの信号振幅の変化Ｖ２１、Ｖ２４をａ１、ａ２、実施の形態１における信号振幅の変化Ｖ１、Ｖ４をａ３、ａ４とすると、ａ１はａ３よりも、また、ａ２はａ４よりもはるかに小さいことが分かる。これは、正転パターンの記録マークの成分が隣接トラックの反転パターンからのクロストークによって打ち消されたためである。
【０２１３】
このとき、隣接トラックの反転パターンの信号振幅の変化Ｖ２２、Ｖ２３は、大きい。そして、記録光量を上げるにしたがって記録マークの幅が広くなり、さらにクロストークも減少する。
【０２１４】
これにより、信号振幅の変化Ｖ２１、Ｖ２４は、次第に増加し、さらに、記録光量を上げると、次第に反転パターンの記録マークの端部が削られ、信号振幅の変化Ｖ２２、Ｖ２３は大きく減少する。
【０２１５】
信号振幅の変化Ｖ２１が大きく、かつ、信号振幅の変化Ｖ２２も大きくなる記録光量では、トラックＴｒ（ｎ）の記録マークの幅は広く、さらに隣接トラックからのクロストークも小さい。よって、この条件を満たす記録光量をトラックＴｒ（ｎ）の最適記録光量とすればよい。
【０２１６】
具体的には、信号振幅の変化Ｖ２１が、例えば、略最大値、最大値から所定割合以上、所定値以上などの条件を満たし、かつ、信号振幅の変化Ｖ２２が、例えば、略最大値、最大値から所定割合以上、所定値以上などの条件を満たす記録光量を最適記録光量とすればよい。
【０２１７】
ここで、上記条件を満たす記録光量の範囲の中心を最適記録光量とすれば、マージンを大きく取ることができ、望ましい。
【０２１８】
同様に、信号振幅の変化Ｖ２４が大きい条件（例えば、略最大値、最大値から所定割合以上、所定値以上などの条件）、及び、信号振幅の変化Ｖ２３が大きい条件（例えば、略最大値、最大値からら所定割合以上、所定値以上などの条件）を満たす記録光量をトラックＴｒ（ｎ＋１）における最適記録光量とすれば、適正な記録光量を得ることができる。
【０２１９】
以上のように、隣接トラックに反転パターンを記録することにより、実施の形態１および2 に比べて信号振幅の変化量が大きくなり、高感度で最適記録光量を検出することが可能となる。
【０２２０】
また、記録マークの滲み出しの影響を受けていることを判定するための閾値として、所定の信号振幅を設けているとき、レーザビームの記録光量の最大値に制限がある場合や、光記録媒体の記録感度にばらつきがある場合には、記録光量を最大としても、第１の領域１１、第４の領域１４における信号振幅が閾値である所定の信号振幅まで減少しないことがある。このときには、第３の領域１３、第２の領域１２における信号振幅の変化のみを用いて、トラックＴｒ（ｎ）、Ｔｒ（ｎ＋１）の最適記録光量を決定する。
【０２２１】
なお、ここでは、第１の領域１１、第４の領域１４における信号振幅が閾値である所定の信号振幅まで減少しない場合に、第３の領域１３、第２の領域１２における信号振幅の変化から最適記録光量を求めるとしているが、はじめから第３の領域１３、第２の領域１２における信号振幅の変化により求めるようにしてもよい。
【０２２２】
以上のように、本実施の形態では、トラックＴｒ（ｎ−１）、Ｔｒ（ｎ＋２）にテストパターンを記録しているが、必ずしも必要ではない。しかしながら、トラックＴｒ（ｎ−１）、Ｔｒ（ｎ＋２）にテストパターンを記録しておけば、読出信号の信号振幅Ｖ（ｎ）、Ｖ（ｎ＋１）を増大させることができる。
【０２２３】
本実施の形態に係る記録光量の制御は、例えば図１８で示した光磁記録再生装置で行なう。以下に、図１８に示す光磁気記録再生装置を使用した記録光量の制御について説明する。
【０２２４】
まず、テストパターン記録時は、ＣＰＵ１１５（最適記録条件設定手段）から制御命令を含む制御信号ｃ３が記録光量設定回路１１０に送られ、該記録光量設定回路１１０から記録光量制御信号ｐ２が出力される。
【０２２５】
上記記録光量制御信号ｐ２は、ＣＰＵ１１５からのスイッチ命令を含む制御信号ｃ２に基づいてスイッチ回路１０８を介して駆動回路１０５に送られ、該駆動回路１０５から駆動電流ｆが半導体レーザ１０２に供給される。
【０２２６】
半導体レーザ１０２は、この駆動電流ｆにより強いレーザビームｂ１を光磁気ディスク１００に照射する。
【０２２７】
同時に、ＣＰＵ１１５から制御命令を含む制御信号ｃ４がテストパターン発生回路１１３に送られ、図９（ｂ）に示した正転パターンと反転パターンの記録信号ｇが発生され、この記録信号ｇが駆動回路１０７に供給される。
【０２２８】
上記駆動回路１０７は、上記記録信号ｇに基づいて駆動電流ｈを生成し、この駆動電流ｈを磁気ヘッド１０４に供給することによって、該磁気ヘッド１０４（記録条件設定手段）から記録磁界が光磁気ディスク１００に向かって発生され、該光磁気ディスク１００に正転パターンと反転パターンとが記録される。
【０２２９】
なお、この装置においてＣＰＵ１１５、記録光量設定回路１１０、テストパターン発生回路１１３、駆動回路１０５、１０７、半導体レーザ１０２、磁気ヘッド１０４は、光記録媒体である光磁気ディスク１００に情報を記録するための記録手段を構成している。
【０２３０】
次に、読出信号の振幅検出について説明する。
【０２３１】
再生光量設定回路１０９は、ＣＰＵ１１５からのスイッチ命令を含む制御信号ｃ２により制御されたスイッチ回路１０８を介して再生光量制御信号ｐ１を駆動回路１０５に供給する。
【０２３２】
そして、駆動回路１０５は、再生光量制御信号ｐ１に基づいて駆動電流ｆを生成し、半導体レーザ１０２に供給する。このときの半導体レーザ１０２からは、前記の記録時よりも弱いレーザビームｂ１が光磁気ディスク１００に照射される。
【０２３３】
光磁気ディスク１００にて反射された反射光ｂ２は、フォトダイオード１０３へ導かれる。光磁気ディスク１００から読み出された読出信号ｒ１は増幅器１０６によって増幅され、読出信号ｒ２がＡ／Ｄ変換器１１１とクロック抽出回路１１２とに入力される。
【０２３４】
上記クロック抽出回路１１２は、再生信号である読出信号ｒ２から後述する外部クロックｃを生成し、テストパターン発生回路１１３に送る。これにより、正転パターンと隣接トラックの反転パターンとが同期して記録される。
【０２３５】
また、クロック抽出回路１１２からの外部クロックｃは、Ａ／Ｄ変換器１１１にも送られ、該Ａ／Ｄ変換器１１１にて読出信号ｒ２がデジタル値ｄに変換される。このデジタル値ｄは、ＣＰＵ１１５に送られ、該ＣＰＵ１１５にて読出信号ｒ２の振幅の検出に使用される。
【０２３６】
なお、この装置において、ＣＰＵ１１５、フォトダイオード１０３、増幅器１０６、Ａ／Ｄ変換器１１１は、光磁気ディスク１００に記録された情報を読み出すための読出手段を構成している。
【０２３７】
また、上記フォトダイオード１０３、半導体レーザ１０２、および、磁気ヘッド１０４は、上述したように、破線で囲まれたピックアップ１０１に備えられている。したがって、ＣＰＵ１１５から、制御命令を含む制御信号ｃ１がピックアップ駆動装置１１４に送られると、図９（ｂ）に示したトラックＴｒ（ｎ）、Ｔｒ（ｎ＋２）、隣接トラックＴｒ（ｎ−１）、Ｔｒ（ｎ＋１）にレーザビームｂ１を移動させて照射できるように、ピックアップ１０１を駆動する。
【０２３８】
上記ＣＰＵ１１５は、制御命令を含む制御信号ｃ３によって記録光量を順次増加させ、制御命令を含む制御信号ｃ１によって所定のトラックに光ビームを移動しながら、制御命令を含む制御信号ｃ４によって正転パターンを記録させる。
【０２３９】
また、ＣＰＵ１１５は、制御命令を含む制御信号ｃ２によってレーザビームｂ１を再生光量に設定し、入力されるデジタル値ｄに基づいて読出信号ｒ２の信号振幅を検出する。
【０２４０】
そして、ＣＰＵ１１５は、記録光量毎の信号振幅を順次記憶し、所望条件を満たす記録光量を最適な記録光量に決定する。
【０２４１】
ここで、上記クロック抽出回路１１２の詳細について、図１１（ａ）ないし（ｃ）を参照しながら以下に説明する。
【０２４２】
図１１（ａ）は、図１８におけるクロック抽出回路１１２を説明する図である。クロック抽出回路１１２内には、差動増幅器１１２ａ、ヒステリシスコンパレータ１１２ｂ、ＰＬＬ回路１１２ｃが直列に接続されている。
【０２４３】
すなわち、上記クロック抽出回路１１２において、光磁気ディスク１００からの反射光ｂ２は、フォトダイオード１０３内の２分割フォトディテクタ１０３ａに入力される。この２分割フォトディテクタ１０３ａからの２つの出力信号ｒ２ａ、ｒ２ｂは、クロック抽出回路１１２における差動増幅器１１２ａに入力されることにより、所謂プッシュプル方式のトラックエラー信号ｊを得る。このトラックエラー信号ｊには、後述する基準マーク５８（図１１（ｂ））からの読出信号が含まれている。
【０２４４】
上記基準マーク５８を検出するために、ヒステリシスコンパレータ１１２ｂは、トラックエラー信号ｊと接地レベルとを比較し、基準マーク検出信号ｋを生成する。ヒステリシスコンパレータ１１２ｂは、得られた基準マーク検出信号ｋをＰＬＬ回路１１２ｃに入力することにより、基準マーク５８に同期した外部クロックｃが、ＰＬＬ回路１１２ｃから出力される。
【０２４５】
図１１（ｂ）および（ｃ）は、図１１（ａ）におけるクロック抽出回路１１２の動作を説明する波形図である。
【０２４６】
図１１（ｂ）において、トラックへの記録パターンである正転パターン、反転パターンは、ランド５９、グルーブ６０のそれぞれのトラックに記録される。ここでは、説明の便宣上、トラックＴｒ（ｎ）をグルーブ６０、トラックＴｒ（ｎ＋１）をランド５９とし、トラックＴｒ（ｎ−１）、Ｔｒ（ｎ＋２）は省略する。
【０２４７】
トラックに沿った方向には、基準マーク５８とテストパターン記録領域５７とが交互に繰り返し配置され、テストパターン記録領域５７には、正転パターンや反転パターンの記録マーク５６が記録される。
【０２４８】
すなわち、光磁気ディスクには、ランド５９とグルーブ６０とに挟まれた側壁６２を周期的に蛇行させることにより、該光磁気ディスクの物理的な基準位置を示すための消去不可能な基準マーク５８が外設されている。ここでは、ランド５９とグルーブ６０とに挟まれた側壁６２のみ蛇行させ、反対の側壁６３と６４とを蛇行させないことにより、トラックの直角方向に隣接する基準マーク（図示せず）とのクロストークが低減される。
【０２４９】
テストパターン記録領域５７は、この基準マーク５８によって区切られた領域を単位として設けられている。例えば、グルーブ６０を光スポット６１でトラッキングすると、図１１（ｃ）に示すように、トラックエラー信号ｊには、基準マーク５８からの読出信号が含まれる。これを２値化すると、基準マーク検出信号ｋが得られる。この基準マーク検出信号ｋを、上記ＰＬＬ回路１１２ｃに入力することにより、基準マーク５８に同期した外部クロックｃが得られる。
【０２５０】
なお、ここで示した装置は、本発明におけるすべての実施の形態の記録条件設定方法において使用できる。また、ここでは、外部クロックｃを用いた装置について述べたが、これに限らず、他の手段により生成されたクロックを用いても、同様に実施することが可能である。
【０２５１】
次に、本実施の形態に係る具体的な記録条件設定方法について、図１２に示すフローチャートを参照しながら以下に説明する。
【０２５２】
まず、予めトラックＴｒ（ｎ−１）、Ｔｒ（ｎ＋１）の第１の領域１１とトラックＴｒ（ｎ）、Ｔｒ（ｎ＋２）の第２の領域１２とに、高い記録光量により、反転パターンを記録する（ステップＳ３１）。
【０２５３】
次に、トラックＴｒ（ｎ）、Ｔｒ（ｎ＋２）の第３の領域１３とトラックＴｒ（ｎ−１）、Ｔｒ（ｎ＋１）の第４の領域１４とに、記録光量を変化させながら正転パターンを記録する（ステップＳ３２）。
【０２５４】
以後の処理は、前記実施の形態１の図３に示すステップＳ３以降と同じであり、図３に示すフローチャートのステップＳ７以降は、前記実施の形態１の図５に示すフローチャートのステップＳ１０以降と同じであり、これによってトラックＴｒ（ｎ）とＴｒ（ｎ＋１）の最適記録光量が決定される。
【０２５５】
（実施の形態４）
本発明のさらに他の実施の形態について、図１３ないし図１５に基づいて説明すれば、以下の通りである。なお、本実施の形態の記録光量の制御は、図１８に示す光磁気記録再生装置において行なわれるものとする。また、説明の便宜上、前記の実施の形態１ないし３と同様の部分については、その説明を省略または簡略化する。
【０２５６】
前記実施の形態３では、隣接トラックに予め反転パターンを記録することにより、信号振幅の変化を高感度で検出する方法および装置について説明した。
【０２５７】
これに対して、本実施の形態では、さらに感度を上げて信号振幅の変化を検出する方法について説明する。
【０２５８】
上記検出方法について、図１３（ａ）ないし（ｃ）を参照しながら以下に説明する。
【０２５９】
図１３（ａ）において、まず、事前にトラックＴｒ（ｎ）の第３の領域１３とトラックＴｒ（ｎ＋１）の第４の領域１４に高い光量の光ビームより、幅の広い記録マーク７０、７１を記録する。なお、このときの記録光量は、後述する消し残りが発生しさえすればよいので、過度に低い光量以外であればよいが、さらに望ましくは、通常よりも高めの光量を用いて、上述のようにトラックＴｒ（ｎ）、Ｔｒ（ｎ＋１）の幅よりも広い記録マークを記録した方がよい。ただし、この記録マーク７０、７１の記録パターンは、反転パターンである。
【０２６０】
図１３（ｂ）以降は、前記実施の形態３の図９（ｂ）以降と同様の処理を施す。
【０２６１】
つまり、図１３（ｂ）において、トラックＴｒ（ｎ−１）、Ｔｒ（ｎ＋１）の第１の領域１１とトラックＴｒ（ｎ）、Ｔｒ（ｎ＋２）の第２の領域１２とに高い記録光量の光ビームにより、幅の広い記録マーク３０、３１を記録する。この記録マーク３０、３１の記録パターンは反転パターンである。これにより、トラックＴｒ（ｎ）の第３の領域１３とＴｒ（ｎ＋１）の第４の領域１４に予め記録されていた幅の広い記録マーク７０、７１は、その端部が削られ、幅の狭い記録マーク７２、７３となる。
【０２６２】
次に、図１３（ｃ）において、トラックＴｒ（ｎ）、Ｔｒ（ｎ＋２）の第３の領域１３とトラックＴｒ（ｎ−１）、Ｔｒ（ｎ＋１）の第４の領域１４に記録光量を変化させながら、正転パターンの記録マーク３２、３３を記録する。このとき、トラックＴｒ（ｎ）の第３の領域１３に着目すると、図１３（ｂ）の反転パターンである記録マーク７２上に、正転パターンである記録マーク３２をオーバーライトしている。同様に、トラックＴｒ（ｎ＋１）の第４の領域１４の反転パターンである記録マーク７３上に、正転パターンである記録マーク３３をオーバーライトしている。
【０２６３】
図１３（ｃ）において、記録光量が低い場合は、反転パターンの消し残りが発生しやすく、残った成分により正転パターンの信号振幅は低下する。この低下量は、記録光量が低く、消し残りが大きいほど大きく、そして消し残りのパターンが反転パターンに近いほど大きくなる。
【０２６４】
ここで、図１４を用いて、信号振幅の低下について説明する。
【０２６５】
図１４に示すグラフから、トラックＴｒ（ｎ）の第３の領域１３とトラックＴｒ（ｎ＋１）の第４の領域１４に事前に反転パターンが記録されてない場合（実施の形態３）の信号振幅は、実線ａ５で示すように、記録光量を上げるに従って次第に増加しているのが分かる。これに対して、本実施の形態のように、事前に反転パターンが記録されている場合には、記録光量が低いとき、図１４に示すグラフの破線ａ６で示すように、反転パターンの消し残りによって信号量がさらに減少していることが分かる。これは、記録光量が低ければ低いほど、消し残りが大きくなり、信号振幅は大幅に減少することを示している。
【０２６６】
したがって、本実施の形態の方法では、トラックＴｒ（ｎ）の第３の領域１３とトラックＴｒ（ｎ＋１）の第４の領域１４に事前に反転パターンが記録されていない場合に比べて、信号振幅の変化量が大きくなり、さらに高い感度によって最適値を検出することができる。
【０２６７】
なお、トラックＴｒ（ｎ−１）、Ｔｒ（ｎ＋１）の第１の領域１１、トラックＴｒ（ｎ）、Ｔｒ（ｎ＋２）の第２の領域１２に反転パターンを記録せず、トラックＴｒ（ｎ）の第３の領域１３、トラックＴｒ（ｎ＋１）の第４の領域１４にのみ予め高い記録光量で反転パターンを記録しても、同じように信号振幅の変化量が大きくなるという効果が得られる。
【０２６８】
ここで、図１３（ａ）〜（ｃ）に示した記録条件制御の動作について、図１５に示すフローチャートを参照しながら以下に説明する。
【０２６９】
まず、事前にトラックＴｒ（ｎ）の第３の領域１３、トラックＴｒ（ｎ＋１）の第４の領域１４に高い記録光量により、反転パターンを記録する（ステップＳ４１）。以後の処理は、前記実施の形態３の図１２に示すフローチャートのステップＳ３１以降と全く同様であり、これによって、最適記録光量が決定される。
【０２７０】
（実施の形態５）
本発明のさらに他の実施の形態について、図１６および図１７に基づいて説明すれば、以下の通りである。なお、本実施の形態の記録光量の制御は、図１８に示す光磁気記録再生装置において行なわれるものとする。また、説明の便宜上、前記の実施の形態１ないし４と同様の部分については、その説明を省略または簡略化する。
【０２７１】
前記実施の形態１ないし４では、トラックＴｒ（ｎ）、Ｔｒ（ｎ＋１）の信号振幅の両方を検出する方法について説明した。
【０２７２】
本実施の形態では、処理の高速化のため、トラックＴｒ（ｎ）、Ｔｒ（ｎ＋１）の最適記録条件を求めるのにトラックＴｒ（ｎ）、Ｔｒ（ｎ＋１）のいずれかの信号振幅の変化のみを検出する方法について説明する。なお、本実施の形態において、各トラックに記録されるテストパターンは、前記実施の形態４と同じテストパターンとする。
【０２７３】
トラックＴｒ（ｎ）を再生し、まず、第３の領域１３の信号振幅の変化より、トラックＴｒ（ｎ）の第３の領域１３に記録された正転パターンのマークの幅を知ることができる。そして、第２の領域１２の信号振幅の変化より、隣接トラックＴｒ（ｎ＋１）の第４の領域１４に記録された正転パターンのマークの滲み出しの影響を知ることができる。
【０２７４】
図１６（ａ）において、第３の領域１３の信号振幅の変化Ｖ３１の最大値よりも少し小さい信号振幅Ａ４を与える記録光量Ｐｘ３を検出する。そして、その記録光量Ｐｘ３に記録マークが隣接トラックへ滲み出さない程度の所定の記録光量Ｐｙ３を加算することにより、トラックＴｒ（ｎ）への最適記録光量Ｐｚ３（＝Ｐｘ３＋Ｐｙ３）を求める。
【０２７５】
図１６（ｂ）において、第２の領域１２の信号振幅の変化Ｖ３２より、記録光量（例えば信号振幅の変化Ｖ３２が所定の信号振幅Ａ５以下となった光量）を検出し、その記録光量Ｐｘ４に演算を加えること（例えば、所定の記録光量Ｐｙ４を減算する（Ｐｘ４−Ｐｙ４）、所定係数を乗算するなど）により、トラックＴｒ（ｎ）にマークの滲み出しの影響を与えないトラックＴｒ（ｎ＋１）への最適記録光量Ｐｚ４を決定することができる。
【０２７６】
以上の方法では、トラックＴｒ（ｎ）の再生信号振幅より、トラックＴｒ（ｎ）に記録したパターンの幅と、隣接トラックＴｒ（ｎ＋１）への記録によるトラックＴｒ（ｎ）へ滲み出しの影響を求めるため、トラックＴｒ（ｎ）とＴｒ（ｎ＋１）とに記録感度の相違がある場合でも、トラックＴｒ（ｎ）、Ｔｒ（ｎ＋１）の記録条件を正確に、処理時間を短縮して求めることができる。
【０２７７】
なお、上ではトラックＴｒ（ｎ）を再生する方法について述べたが、トラックＴｒ（ｎ＋１）の第１の領域１１と第４の領域１４の信号振幅の変化からも、図１７（ａ）（ｂ）のように、隣接トラックＴｒ（ｎ）の第３の領域１３に記録された正転パターンの滲み出しの影響と、トラックＴｒ（ｎ＋１）の第４の領域１４に記録された正転パターンのマークの幅を知ることができるため、トラックＴｒ（ｎ）とＴｒ（ｎ＋１）とに記録感度の相違がある場合でも、トラックＴｒ（ｎ）、Ｔｒ（ｎ＋１）の記録条件を正確に、処理時間を短縮して求めることができる。
【０２７８】
以上、各実施の形態において、本発明について説明したが、本発明はこれらの実施の形態に限定されるものではなく、例えば、記録磁界強度の最適化にも適用できる。また、磁界変調記録を例に挙げて説明したが、光変調記録においても同様に記録マークの幅の変化を信号振幅によって検出できるため、高感度で記録光量の最適値を求めることができる。
【０２７９】
また、読出信号の検出量として、信号振幅を例に挙げて説明したが、ジッタやエラーを用いても、記録条件を設定したい特定トラックに実際に記録を行い、その特定トラックからの再生信号として十分な再生信号が得られる条件、および、隣接トラックからの再生信号によりクロストークの生じない条件を求めることができるため、隣接するトラック間に記録感度の相違が生じていたとしても適切な記録条件を求めることが可能となる。
【０２８０】
また、セクタ毎に記録条件を変化させ、最適記録光量を求めることができる。また、１セクタ内に複数の記録条件を与えることにより、最適記録光量を求めることができる。
【０２８１】
なお、以上の実施の形態では、外部クロック抽出のための基準マークとして、ランドとグルーブとに挟まれた側壁を用いているが、基準マークとして事前に光記録媒体に記録された形態であればよい。
【０２８２】
また、以上の実施の形態では、外部クロック抽出にプッシュプル信号を用いているが、タンジェンシャルプッシュプル信号やＲＦ和信号等、基準マークを検出できる信号であれば、いずれでもよい。
【０２８３】
さらに、以上のすべての実施の形態の説明は、光磁気記録を対象としていたが、これに限らず、相変化記録等の他の光記録媒体においても同様に実施することが可能である。
【０２８４】
また、本発明の光記録方法は、光記録媒体に情報を記録する光記録方法において、大きな記録マークを形成できる予め決められた記録条件で、光記録媒体の第１トラックにおける第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録し、前記複数の記録条件それぞれに対応して、第１トラックを再生して、第１の領域から第１読出信号を、第４の領域から第４読出信号を検出し、第２トラックを再生して、第３の領域から第３読出信号を、第２の領域から第２読出信号を検出し、前記複数の記録条件と、第１読出信号及び第３読出信号と、に基づき、第２トラックにおける最適記録条件を決定し、前記複数の記録条件と、第２読出信号及び第４読出信号と、に基づき、第１トラックにおける最適記録条件を決定し、該最適記録条件で、第１トラック及び第２トラックに情報を記録することを特徴とする。
【０２８５】
また、本発明の他の光記録方法は、光記録媒体に情報を記録する光記録方法において、大きな記録マークを形成できる予め決められた記録条件で、光記録媒体の第１トラックの第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録し、前記複数の記録条件それぞれに対応して、第１トラックを再生して、第１の領域から第１読出信号を、第４の領域から第４読出信号を検出し、第１読出信号が所望状態となる記録条件である第１記録条件を求め、その第１記録条件に対して演算を加えることで、第１記録条件よりも小さな記録マークが形成できる記録条件を求めて、第２トラックにおける最適記録条件とし、第４読出信号が所望状態となる記録条件である第４記録条件を求め、その第４記録条件に対して演算を加えることで、第４記録条件よりも大きな記録マークが形成できる記録条件を求めて、第１トラックにおける最適記録条件とし、該最適記録条件で、第１トラック及び第２トラックに情報を記録することを特徴とする。
【０２８６】
本発明のさらに他の光記録方法は、光記録媒体に情報を記録する光記録方法において、大きな記録マークを形成できる予め決められた記録条件で、光記録媒体の第１トラックの第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録し、前記複数の記録条件それぞれに対応して、第２トラックを再生して、第３の領域から第３読出信号を検出し、第２の領域から第２読出信号を検出し、第３読出信号が所望状態となる記録条件である第３記録条件を求め、その第３記録条件に対して演算を加えることで、第３記録条件よりも大きな記録マークが形成できる記録条件を求めて、第２トラックにおける最適記録条件とし、第２読出信号が所望状態となる記録条件である第２記録条件を求め、その第２記録条件に対して演算を加えることで、第２記録条件よりも小さな記録マークが形成できる記録条件を求めて、第１トラックにおける最適記録条件とし、該最適記録条件で、第１トラック及び第２トラックに情報を記録することを特徴とする。
【０２８７】
本発明のさらに他の光記録方法は、第１読出信号が所望状態に到達しないときには、第３読出信号が所望状態となる記録条件である第３記録条件を求め、その第３記録条件に対して演算を加えることで、第３記録条件よりも大きな記録マークが形成できる記録条件を求めて、第２トラックにおける最適記録条件とすることを特徴とする。
【０２８８】
本発明のさらに他の光記録方法は、第２読出信号が所望状態に到達しないときには、第４読出信号が所望状態となる記録条件である第４記録条件を求め、その第４記録条件に対して演算を加えることで、第４記録条件よりも大きな記録マークが形成できる記録条件を求めて、第１トラックにおける最適記録条件とすることを特徴とする。
【０２８９】
本発明のさらに他の光記録方法は、第１読出信号が所望状態となる記録条件である第１記録条件を求め、その第１記録条件に対して演算を加えることで、第１記録条件よりも小さな記録マークが形成できる記録条件を求めて、第２トラックにおける最適記録条件とすることを特徴とする。
【０２９０】
本発明のさらに他の光記録方法は、第２読出信号が所望状態となる記録条件である第２記録条件を求め、その第２記録条件に対して演算を加えることで、第２記録条件よりも小さな記録マークが形成できる記録条件を求めて、第１トラックにおける最適記録条件とすることを特徴とする。
【０２９１】
本発明の光記録装置は、光記録媒体に、少なくとも光ビームを照射して、情報を記録する光記録装置において、大きな記録マークを形成できる予め決められた記録条件で、光記録媒体の第１トラックの第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録する記録手段と、前記複数の記録条件それぞれに対応して、第１トラックを再生して、第１の領域から第１読出信号を検出し、第４の領域から第４読出信号を検出し、第２トラックを再生して、第３の領域から第３読出信号を検出し、第２の領域から第２読出信号を検出する読み出し手段と、前記複数の記録条件と、第１読出信号及び第３読出信号と、に基づき、第２トラックにおける最適記録条件を決定し、前記複数の記録条件と、第２読出信号及び第４読出信号と、に基づき、第１トラックにおける最適記録条件を決定する最適記録条件設定手段と、を具備することを特徴とする。
【０２９２】
本発明の他の光記録装置は、光記録媒体に、少なくとも光ビームを照射して、情報を記録する光記録装置において、大きな記録マークを形成できる予め決められた記録条件で、光記録媒体の第１トラックの第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録する記録手段と、前記複数の記録条件それぞれに対応して、第１トラックを再生して、第１の領域から第１読出信号を検出し、第４の領域から第４読出信号を検出する読み出し手段と、第１読出信号が所望状態となる記録条件である第１記録条件を求め、その第１記録条件に対して演算を加えることで、第１記録条件よりも小さな記録マークが形成できる記録条件を求めて、第２トラックにおける最適記録条件を決定し、第４読出信号が所望状態となる記録条件である第４記録条件を求め、その第４記録条件に対して演算を加えることで、第４記録条件よりも大きな記録マークが形成できる記録条件を求めて、第１トラックにおける最適記録条件を決定する最適記録条件設定手段と、を具備することを特徴とする。
【０２９３】
本発明のさらに他の光記録装置は、光記録媒体に、少なくとも光ビームを照射して、情報を記録する光記録装置において、大きな記録マークを形成できる予め決められた記録条件で、光記録媒体の第１トラックの第１の領域に第１テストパターンを記録し、大きな記録マークを形成できる予め決められた記録条件で、第１トラックと隣接する第２トラックにおける第１の領域に隣接する領域以外の第２の領域に第２テストパターンを記録し、第１テストパターンの記録後に、第２トラックにおける第１の領域に隣接する第３の領域に、第３テストパターンを複数の記録条件で記録し、第２テストパターンの記録後に、第１トラックにおける第２の領域に隣接する第４の領域に、第４テストパターンを複数の記録条件で記録する記録手段と、前記複数の記録条件それぞれに対応して、第２トラックを再生して、第３の領域から第３読出信号を検出し、第２の領域から第２読出信号を検出する読み出し手段と、第３読出信号が所望状態となる記録条件である第３記録条件を求め、その第３記録条件に対して演算を加えることで、第３記録条件よりも大きな記録マークが形成できる記録条件を求めて、第２トラックにおける最適記録条件を決定し、第２読出信号が所望状態となる記録条件である第２記録条件を求め、その第２記録条件に対して演算を加えることで、第２記録条件よりも小さな記録マークが形成できる記録条件を求めて、第１トラックにおける最適記録条件を決定する最適記録条件設定手段と、を具備することを特徴とする。
【０２９４】
本発明のさらに他の光記録装置は、第１１の発明の光記録装置において、第１読出信号が所望状態に到達しないときには、第３読出信号が所望状態となる記録条件である第３記録条件を求め、その第３記録条件に対して演算を加えることで、第３記録条件よりも大きな記録マークが形成できる記録条件を求めて、第２トラックにおける最適記録条件を決定する最適記録条件設定手段と、を具備することを特徴とする。
【０２９５】
上記第２読出信号が所望状態に到達しないときには、第４読出信号が所望状態となる記録条件である第４記録条件を求め、その第４記録条件に対して演算を加えることで、第４記録条件よりも大きな記録マークが形成できる記録条件を求めて、第１トラックにおける最適記録条件を決定する最適記録条件設定手段と、を具備することを特徴とする。
【０２９６】
上記第１読出信号が所望状態となる記録条件である第１記録条件を求め、その第１記録条件に対して演算を加えることで、第１記録条件よりも小さな記録マークが形成できる記録条件を求めて、第２トラックにおける最適記録条件を決定する最適記録条件設定手段と、を具備することを特徴とする。
【０２９７】
上記第２読出信号が所望状態となる記録条件である第２記録条件を求め、その第２記録条件に対して演算を加えることで、第２記録条件よりも小さな記録マークが形成できる記録条件を求めて、第１トラックにおける最適記録条件を決定する最適記録条件設定手段と、を具備することを特徴とする。
【０２９８】
以上の光記録方法および光記録装置においても、隣接するトラックがランド・グルーブのように、それぞれのトラック間に記録感度の差が生じていても、これら２つのトラックに対する最適記録条件を求めることができる。それゆえ、各トラックの最適記録条件を求めれば、各トラックにおける記録マーク幅を最適に制御することができるので、信号再生時のトラック間のクロストークや、信号記録時のクロスイレーズを最小に抑え、トラックの高密度化を実現できる。
【０２９９】
【発明の効果】
本発明の第１の光記録方法は、以上のように、光記録媒体に対して、少なくともレーザ光を照射することにより情報の記録を行なう光記録方法において、上記光記録媒体の隣接する２つのトラックに対して、それぞれ隣接しない領域に複数の記録条件でテストパターンを記録し、少なくとも一方のトラックを再生して得られた信号に基づいて、上記２つのトラックの最適記録条件を設定し、各トラックに、それぞれの最適記録条件により情報を記録する構成である。
【０３００】
それゆえ、２つのトラックのうち、特定トラックの記録感度は、テストパターンが記録された領域と、特定トラックに隣接するトラックにおいて、テストパターンが記録された領域に隣接する、テストパターンが記録されていない領域を読み出すことで検出できる。また、特定トラックに隣接するトラックの記録感度は、テストパターンが記録された領域と、隣接する特定トラックにおいて、テストパターンが記録された領域に隣接する、テストパターンが記録されていない領域を読み出すことで検出できる。
【０３０１】
これにより、特定トラックおよび隣接トラックの少なくとも一方の再生信号によって、例えば隣接するトラックがランド・グルーブのように、それぞれのトラック間に記録感度の差が生じていても、これら２つのトラックに対する最適記録条件を求めることができる。
【０３０２】
以上のようにして、各トラックの最適記録条件を求めれば、各トラックにおける記録マーク幅を最適に制御することができるので、信号再生時のトラック間のクロストークや、信号記録時のクロスイレーズを最小に抑え、トラックの高密度化を実現できるという効果を奏する。
【０３０３】
本発明の第２の光記録方法は、以上のように、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第１トラックを再生して、第１の領域から第１読出信号を検出するとともに、第４の領域から第４読出信号を検出し、上記第２トラックを再生して、第２の領域から第２読出信号を検出するとともに、第３の領域から第３読出信号を検出し、上記第１読出信号および第４読出信号とに基づいて、第１トラックに対する最適記録条件を決定し、上記第２読出信号と第３読出信号とに基づいて、第２トラックに対する最適記録条件を決定し、各トラックに、それぞれの最適記録条件により情報を記録する構成である。
【０３０４】
それゆえ、隣接するトラック間に記録感度の相違が生じていても各トラック毎に最適な記録条件を求めることが可能となり、この最適な記録条件によって各トラックに情報を記録するようにすれば、信号再生時のトラック間のクロストークや、信号記録時のトラック間のクロスイレーズを最小に抑えることができるので、トラックの高密度化を実現できるという効果を奏する。
【０３０５】
上記第１読出信号が所定の値となる第１記録条件によって形成される記録マークよりも小さな記録マークを形成する記録条件を求め、この記録条件を上記第２トラックに対する最適記録条件としてもよい。
【０３０６】
この場合、第１読出信号は、第２トラックの第３の領域に記録された第３テストパターンの記録マークの影響を受けた信号となっているので、第１読出信号が所定の値となる第１記録条件によって形成される記録マークは、第３テストパターンの記録マークの影響を受けたものとなる。
【０３０７】
したがって、この記録マークよりも小さな記録マークを形成する記録条件とは、第１読出信号が第３テストパターンの記録マークの影響をできるだけ小さくした場合の記録条件、すなわち第２トラックに対する最適記録条件となる。
【０３０８】
このように、第１トラックの第１読出信号により第２トラックの最適記録条件を求めるようにすれば、第１トラックの再生のみで最適記録条件を求めることができるので、処理にかかる時間を短縮することができるという効果を奏する。
【０３０９】
そして、上記第１読出信号が所定の値に到達しないときには、上記第３読出信号が所定の値となる第３記録条件によって形成される記録マークよりも大きな記録マークを形成する記録条件を求めて、この記録条件を上記第２トラックに対する最適記録条件としてもよい。
【０３１０】
また、上記第２読出信号が所定の値となる第２記録条件によって形成される記録マークよりも小さな記録マークを形成する記録条件を求め、この記録条件を上記第１トラックに対する最適記録条件としてもよい。
【０３１１】
この場合、第２読出信号は、第１トラックの第４の領域に記録された第４テストパターンの記録マークの影響を受けた信号となっているので、第２読出信号が所定の値となる第２記録条件によって形成される記録マークは、第４テストパターンの記録マークの影響を受けたものとなる。
【０３１２】
したがって、この記録マークよりも小さな記録マークを形成する記録条件とは、第２読出信号が第４テストパターンの記録マークの影響をできるだけ小さくした場合の記録条件、すなわち第１トラックに対する最適記録条件となる。
【０３１３】
このように、第２トラックの第２読出信号により第１トラックの最適記録条件を求めるようにすれば、第２トラックの再生のみで最適記録条件を求めることができるので、処理にかかる時間を短縮することができるという効果を奏する。
【０３１４】
そして、上記第２読出信号が所定の値に到達しないときには、上記第４読出信号が所定の値となる第４記録条件によって形成される記録マークよりも大きな記録マークを形成する記録条件を求めて、この記録条件を上記第１トラックに対する最適記録条件としてもよい。
【０３１５】
本発明の第３の光記録方法は、以上のように、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第１トラックを再生し、第１の領域から第１読出信号を検出するとともに、第４の領域から第４読出信号を検出し、上記第１読出信号が所定の値となる第１記録条件によって形成される記録マークよりも小さな記録マークとなる記録条件を求めて、この記録条件を第２トラックにおける最適記録条件とし、上記第４読出信号が所定の値となる第４記録条件によって形成される記録マークよりも大きな記録マークとなる記録条件を求めて、この記録条件を第１トラックにおける最適記録条件とし、上記光記録媒体の各トラックに、それぞれの最適記録条件により情報を記録する構成である。
【０３１６】
それゆえ、第１トラックを再生して第１読出信号および第４読出信号を検出するだけで、第１トラックと第２トラックに対するそれぞれの最適記録条件を求めることができるので、最適記録条件を決定するまでの処理に係る時間を短縮することができるという効果を奏する。
【０３１７】
本発明の第４の光記録方法は、以上のように、光記録媒体に対して、少なくともレーザ光を照射することにより情報の記録を行なう光記録方法において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録し、上記の総てのテストパターンを記録した後、上記第２トラックを再生し、第２の領域から第２読出信号を検出するとともに、第３の領域から第３読出信号を検出し、上記第２読出信号が所定の値となる第２記録条件によって形成される記録マークよりも小さな記録マークとなる記録条件を求めて、この記録条件を第１トラックにおける最適記録条件とし、上記第３読出信号が所定の値となる第３記録条件によって形成される記録マークよりも大きな記録マークとなる記録条件を求めて、この記録条件を第２トラックにおける最適記録条件とし、上記光記録媒体の各トラックに、それぞれの最適記録条件により情報を記録する構成である。
【０３１８】
それゆえ、第２トラックを再生して第２読出信号および第３読出信号を検出するだけで、第１トラックと第２トラックに対するそれぞれの最適記録条件を求めることができるので、最適記録条件を決定するまでの処理に係る時間を短縮することができるという効果を奏する。
【０３１９】
上記読出信号の検出量として、信号振幅を用いてもよいし、ジッタを用いてもよいし、エラーを用いてもよい。
【０３２０】
この場合、読出信号の検出量として、何れのものを用いても、記録条件を設定したい特定トラックに実際に記録を行い、その特定トラックからの再生信号として十分な再生信号が得られる条件、および、隣接トラックからの再生信号によりクロストークの生じない条件を求めることができるため、隣接するトラック間に記録感度の相違が生じていたとしても適切な記録条件を求めることができるという効果を奏する。
【０３２１】
本発明の第１の光記録方法を実現する本発明の第１の光記録装置として、例えば、光記録媒体に対して、少なくともレーザ光を照射することにより情報の記録を行なう光記録装置において、上記光記録媒体の隣接する２つのトラックに対して、それぞれ隣接しない領域に複数の記録条件でテストパターンを記録する記録手段と、上記記録手段によって記録されたテストパターンを含む各トラックを再生する再生手段と、上記２つのトラックの再生信号の、少なくとも一方の再生信号に基づいて、上記２つのトラックの最適記録条件を設定する最適記録条件設定手段とを備えている構成のものが考えられる。
【０３２２】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できるという効果を奏する。
【０３２３】
また、本発明の第２の光記録方法を実現する本発明の第２の光記録装置として、例えば、光記録媒体に対して、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第１トラックを再生し、第１の領域から第１読出信号を検出するとともに、第４の領域から第４読出信号を検出し、上記第２トラックを再生し、第２の領域から第２読出信号を検出するとともに、第３の領域から第３読出信号を検出する信号検出手段と、上記第１読出信号および第４読出信号とに基づいて、第１トラックに対する最適記録条件を決定し、上記第２読出信号と第３読出信号とに基づいて、第２トラックに対する最適記録条件を決定する最適記録条件設定手段とを備えたものが考えられる。
【０３２４】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できるという効果を奏する。
【０３２５】
また、本発明の第３の光記録方法を実現する本発明の第３の光記録装置装置として、例えば、光記録媒体に対して、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第１トラックを再生し、第１の領域から第１読出信号を検出するとともに、第４の領域から第４読出信号を検出する信号検出手段と、上記第１読出信号が所定の値となる第１記録条件によって形成される記録マークよりも小さな記録マークとなる記録条件を求めて、この記録条件を第２トラックにおける最適記録条件を決定し、上記第４読出信号が所定の値となる第４記録条件によって形成される記録マークよりも大きな記録マークとなる記録条件を求めて、この記録条件を第１トラックにおける最適記録条件を決定する最適記録条件設定手段とを備えたものが考えられる。
【０３２６】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できるという効果を奏する。
【０３２７】
さらに、本発明の第４の光記録方法を実現する本発明の第４の光記録装置として、例えば、光記録媒体に対して、最適記録条件によって、少なくともレーザ光を照射することにより情報を記録する光記録装置において、上記光記録媒体の第１トラックの第１の領域に、該第１トラックのトラック幅よりも大きな幅の記録マークからなる第１テストパターンを記録し、上記第１トラックに隣接する第２トラックの、該第１トラックの第１の領域に隣接する領域以外の第２の領域に、該第２トラックのトラック幅よりも大きな幅の記録マークからなる第２テストパターンを記録し、上記第１テストパターンの記録後に、上記第２トラックの、上記第１トラックの第１の領域に隣接する第３の領域に、第３テストパターンを複数の記録条件で記録し、上記第２テストパターンの記録後に、上記第１トラックの、上記第２トラックの第２の領域に隣接する第４の領域に、第４テストパターンを複数の記録条件で記録する記録手段と、上記の総てのテストパターンを記録した後、上記第２トラックを再生し、第２の領域から第２読出信号を検出するとともに、第３の領域から第３読出信号を検出する信号検出手段と、上記第２読出信号が所定の値となる第２記録条件によって形成される記録マークよりも小さな記録マークとなる記録条件を求めて、この記録条件を第１トラックにおける最適記録条件を決定し、上記第３読出信号が所定の値となる第３記録条件によって形成される記録マークよりも大きな記録マークとなる記録条件を求めて、この記録条件を第２トラックにおける最適記録条件を決定する最適記録条件設定手段とを備えているものが考えられる。
【０３２８】
この光記録装置によっても、特定トラックおよび隣接トラックの少なくとも一方の再生信号によって、それぞれのトラック間に記録感度の差が生じていても、これら２つのトラックに対する最適記録条件を求めることができるので、各トラックの最適記録条件を求めれば、各トラックにおける記録マーク幅を最適に制御することができ、この結果、信号再生時のトラック間のクロストークや、信号記録時のクロスイレーズを最小に抑え、トラックの高密度化を実現できるという効果を奏する。
【０３２９】
また、上記光記録方法および光記録装置において使用される光記録媒体としては、上記第１トラックが、ランドかグルーブのどちらか一方に形成されたトラックであり、上記第２トラックは、その他方に形成されたトラックである、ランド／グルーブの両方に情報を記録可能な光記録媒体であってもよい。
【０３３０】
この場合には、ランド／グルーブの両方を情報の記録トラックとして使用しているので、情報を高密度に記録することができるという効果を奏する。
【図面の簡単な説明】
【図１】（ａ）〜（ｃ）は、本発明の実施の一形態に係る光記録方法における記録条件の制御を示す説明図である。
【図２】（ａ）（ｂ）は、図１に示す光記録方法により光記録媒体の各トラックに記録されたテストパターンを読み出した読出信号の振幅の変化を示すグラフである。
【図３】図１に示す光記録方法による記録条件の制御の流れを示すフローチャートである。
【図４】（ａ）（ｂ）は、本発明の他の実施の形態に係る光記録方法により光記録媒体の各トラックに記録されたテストパターンを読み出した読出信号の振幅の変化を示すグラフである。
【図５】本発明の他の実施の形態に係る光記録方法による記録条件の制御の流れを示すフローチャートである。
【図６】（ａ）〜（ｃ）は、本発明のさらに他の実施の形態に係る光記録方法における記録条件の制御を示す説明図である。
【図７】（ａ）（ｂ）は、図６に示す光記録方法により光記録媒体の各トラックに記録されたテストパターンを読み出した読出信号の振幅の変化を示すグラフである。
【図８】図６に示す光記録方法による記録条件の制御の流れを示すフローチャートである。
【図９】（ａ）〜（ｃ）は、本発明のさらに他の実施の形態に係る光記録方法における記録条件の制御を示す説明図である。
【図１０】（ａ）（ｂ）は、図９に示す光記録方法により光記録媒体の各トラックに記録されたテストパターンを読み出した読出信号の振幅の変化を示すグラフである。
【図１１】（ａ）〜（ｃ）は、本発明の光記録装置に備えられたクロック抽出回路の動作を示す説明図である。
【図１２】図９に示す光記録方法による記録条件の制御の流れを示すフローチャートである。
【図１３】（ａ）〜（ｃ）は、本発明のさらに他の実施の形態に係る光記録方法による記録条件の制御を示す説明図である。
【図１４】図１３に示す光記録方法により光記録媒体の各トラックに記録されたテストパターンを読み出した読出信号の振幅の変化を示すグラフである。
【図１５】図１３に示す光記録方法による記録条件の制御の流れを示すフローチャートである。
【図１６】（ａ）（ｂ）は、図１３に示す光記録方法により光記録媒体のトラックＴｒ（ｎ）に記録されたテストパターンを読み出した読出信号の振幅を示すグラフである。
【図１７】（ａ）（ｂ）は、図１３に示す光記録方法により光記録媒体のトラックＴｒ（ｎ＋１）に記録されたテストパターンを読み出した読出信号の振幅を示すグラフである。
【図１８】本発明の光記録装置の概略構成ブロック図である。
【図１９】（ａ）〜（ｃ）は、本発明の光記録方法における記録条件の制御の原理を示す説明図である。
【符号の説明】
１    消去領域（記録マーク）
２    消去領域（記録マーク）
３    記録マーク
４    記録マーク
５    読出信号（第３読出信号）
６    読出信号（第２読出信号）
７    読出信号（第１読出信号）
８    読出信号（第４読出信号）
１１    第１の領域
１２    第２の領域
１３    第３の領域
１４    第４の領域
２０    記録マーク
２１    記録マーク
２２    消去マーク（記録マーク）
２３    消去マーク（記録マーク）
２４    読出信号（第３読出信号）
２５    読出信号（第２読出信号）
２６    読出信号（第１読出信号）
２７    読出信号（第４読出信号）
３０    記録マーク
３１    記録マーク
３２    記録マーク
３３    記録マーク
３４    読出信号（第３読出信号）
３５    読出信号（第２読出信号）
３６    読出信号（第１読出信号）
３７    読出信号（第４読出信号）
７０    記録マーク
７１    記録マーク
１００    光磁気ディスク（光記録媒体）
１０２    半導体レーザ（光源）
１０３    フォトダイオード
１０４    磁気ヘッド
１０５    駆動回路
１０６    増幅器
１０７    駆動回路
１１０    記録光量設定回路
１１１    Ａ／Ｄ変換器
１１３    テストパターン発生回路
１１５    ＣＰＵ（最適記録条件設定手段）
Ｔｒ      トラック（第１トラック、第２トラック）
【図１】
0004397520.tif 000002
【図２】
0004397520.tif 000003
【図３】
0004397520.tif 000004
【図４】
0004397520.tif 000005
【図５】
0004397520.tif 000006
【図６】
0004397520.tif 000007
【図７】
0004397520.tif 000008
【図８】
0004397520.tif 000009
【図９】
0004397520.tif 000010
【図１０】
0004397520.tif 000011
【図１１】
0004397520.tif 000012
【図１２】
0004397520.tif 000013
【図１３】
0004397520.tif 000014
【図１４】
0004397520.tif 000015
【図１５】
0004397520.tif 000016
【図１６】
0004397520.tif 000017
【図１７】
0004397520.tif 000018
【図１８】
0004397520.tif 000019
【図１９】
0004397520.tif 000020